(57)【要約】【課題】  複数人が施設等へ入場する際、グループ毎に順番待ちを発生させずに認証を行い、不審者の侵入を抑止する。【解決手段】  所定人数と識別情報を記憶するＩＣタグを備えた携帯端末と、ＩＣタグから所定人数と識別情報を読取り、処理装置に送信するタグ装置と、識別情報が記憶部に登録されているか確認し、登録されている場合所定人数にもとづき入場予定人数を算出して記憶部に登録し、認証成功信号を屋外装置に送信し、屋外装置から撮像データを受信し解析して屋外人数を計数し、屋外人数と入場予定人数が一致するかを判定し、一致する場合にゲートを開放し、一致信号を屋内装置に送信し、屋内装置から撮像データを受信し解析して入場人数を計数し、入場人数と入場予定人数とが一致するかを判定し、一致する場合処理を終了し、一致しない場合不一致信号を作動装置に送信する処理装置と、不一致信号を受信し警報の発動等を行う作動装置を有するシステム。【選択図】  図２
2007257497.tif 000002
【特許請求の範囲】
【請求項１】
構造物へのグループの入場を遮断するゲートを有する入場管理システムであって、
所定の人数と携帯端末識別情報を記憶するＩＣタグを備えた携帯端末と、
前記ＩＣタグから前記所定の人数及び前記携帯端末識別情報を読み取って、データ処理装置に送信するＩＣタグ装置と、
前記携帯端末識別情報が個人データ記憶部に登録されているかを確認し、登録されている場合に、前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信するデータ処理装置と、
前記データ処理装置から前記一致しないことを示す信号を受信すると、警報の発動及び／又は入場者の撮像を行う前記不正入場者存在時作動装置と、を有する
ことを特徴とする入場管理システム。
【請求項２】
前記ＩＣタグ装置が、第一の前記携帯端末に備えられた前記ＩＣタグから第一の人数及び第一の携帯端末識別情報を読み取って前記データ処理装置に送信した後であって、前記ゲートが開放される前に、第二の前記携帯端末に備えられた前記ＩＣタグから第二の人数及び第二の携帯端末識別情報を読み取って前記データ処理装置に送信すると、
前記データ処理装置が、
前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出し、この第二の入場予定人数を前記個人データ記憶部に登録して、第二の携帯端末の認証に成功したことを示す信号を前記屋外撮像装置に送信し、
前記屋外撮像装置から屋外撮像データを受信して、この屋外撮像データを解析して屋外人数を計数し、前記屋外人数と、前記第一の入場予定人数及び前記第二の入場予定人数の合計とが一致するか否かを判定して、一致する場合に前記ゲートを開放するとともに、一致することを示す信号を前記屋内撮像装置に送信し、
前記屋内撮像装置から屋内撮像データを受信して、この屋内撮像データを解析して入場人数を計数し、前記入場人数と、前記第一の入場予定人数及び前記第二の入場予定人数の合計とが一致するか否かを判定して、一致する場合に処理を終了し、一致しない場合にこれを示す信号を前記不正入場者存在時作動装置に送信する
ことを特徴とする請求項１記載の入場管理システム。
【請求項３】
前記ＩＣタグ装置が、第一の前記携帯端末に備えられた前記ＩＣタグから第一の人数及び第一の携帯端末識別情報を読み取って前記データ処理装置に送信した後であって、前記ゲートが開放された後に、第二の前記携帯端末に備えられた前記ＩＣタグから第二の人数及び第二の携帯端末識別情報を読み取って前記データ処理装置に送信すると、
前記データ処理装置が、
前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出して、この第二の入場予定人数を前記個人データ記憶部に登録し、前記第二の携帯端末識別情報が前記個人データ記憶部に登録されていない場合にこれを示す信号を前記不正入場者存在時作動装置に送信し、
前記屋内撮像装置から屋内撮像データを受信して、この屋内撮像データを解析して入場人数を計数し、前記入場人数と、前記第一の入場予定人数及び前記第二の入場予定人数の合計とが一致するか否かを判定して、一致する場合に処理を終了し、一致しない場合にこれを示す信号を前記不正入場者存在時作動装置に送信し、
前記不正入場者存在時作動装置が、前記データ処理装置から前記登録されていないことを示す信号又は前記一致しないことを示す信号を受信すると、警報の発動及び／又は入場者の撮像を行う
ことを特徴とする請求項１記載の入場管理システム。
【請求項４】
前記データ処理装置が、前記屋外人数と前記入場予定人数が一致するか否かを判定して、一致する場合に、一人当たり入場料金に前記屋外人数を乗算して合計入場料金を算出し、グループ全体の入場料金の精算処理を実行する
ことを特徴とする請求項１記載の入場管理システム。
【請求項５】
構造物へのグループの入場を遮断するゲートを有する入場管理システムであって、
所定の人数と携帯端末識別情報と暗証番号をデータ処理装置に送信する携帯端末と、
携帯端末識別情報と暗証番号を入力して前記データ処理装置に送信する情報処理装置と、
前記携帯端末から受信した前記所定の人数と前記携帯端末識別情報と前記暗証番号を対応付けて個人データ記憶部に登録し、前記情報処理装置から受信した前記携帯端末識別情報と前記暗証番号が前記個人データ記憶部に登録されているかを確認し、登録されている場合に、前記携帯端末識別情報と前記暗証番号に対応付けて前記個人データ記憶部に登録されている前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信する前記データ処理装置と、
前記データ処理装置から前記一致しないことを示す信号を受信すると、警報の発動及び／又は入場者の撮像を行う前記不正入場者存在時作動装置と、を有する
ことを特徴とする入場管理システム。
【請求項６】
構造物へのグループの入場を遮断するゲートを有する入場管理システムであって、
所定の人数と個人識別情報をデータ処理装置に送信する携帯端末と、
前記個人識別情報を記憶するＩＣタグを備えた媒体と、
前記ＩＣタグから前記個人識別情報を読み取って、前記データ処理装置に送信するＩＣタグ装置と、
前記携帯端末から受信した前記所定の人数と前記個人識別情報を対応付けて個人データ記憶部に登録し、前記ＩＣタグ装置から受信した前記個人識別情報が前記個人データ記憶部に登録されているかを確認し、登録されている場合に、前記個人識別情報に対応付けて登録されている前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信する前記データ処理装置と、
前記データ処理装置から前記一致しないことを示す信号を受信すると、警報の発動及び／又は入場者の撮像を行う前記不正入場者存在時作動装置と、を有する
ことを特徴とする入場管理システム。
【請求項７】
構造物へのグループの入場を遮断するゲートを有する入場管理システムにおけるデータ処理装置であって、
携帯端末に備えられたＩＣタグからＩＣタグ装置により読み取られた所定の人数と携帯端末識別情報を受信して、前記携帯端末識別情報が個人データ記憶部に登録されているかを確認し、登録されている場合に、前記所定の人数にもとづき入場予定人数を算出し、この入場予定人数を前記個人データ記憶部に登録して、認証に成功したことを示す信号を屋外撮像装置に送信する個人データ解析部と、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部と、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部と、
前記データ解析部から前記屋外人数と前記入場予定人数が一致することを示す信号を入力すると、前記ゲートを開放するゲート制御部と、を備えた
ことを特徴とするデータ処理装置。
【請求項８】
前記ＩＣタグ装置が、第一の前記携帯端末に備えられた前記ＩＣタグから第一の人数及び第一の携帯端末識別情報を読み取って前記個人データ解析部に送信した後であって、前記ゲートが開放される前に、第二の前記携帯端末に備えられた前記ＩＣタグから第二の人数及び第二の携帯端末識別情報を読み取って前記個人データ解析部に送信すると、
前記個人データ解析部が、前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出し、この第二の入場予定人数を前記個人データ記憶部に登録して、第二の携帯端末の認証に成功したことを示す信号を前記屋外撮像装置に送信し、
前記撮像データ解析部が、前記屋外撮像装置から屋外撮像データを受信して、この屋外撮像データを解析して屋外人数を計数し、この屋外人数を前記データ解析部に出力し、
前記データ解析部が、前記屋外人数と、前記個人データ記憶部に登録されている前記第一の入場予定人数及び前記第二の入場予定人数の合計とが一致するか否かを判定して、一致する場合にこれを示す信号をゲート制御部に出力するとともに、前記屋内撮像装置に送信し、
前記ゲート制御部が、前記データ解析部から前記屋外人数と前記入場予定人数が一致することを示す信号を入力すると、前記ゲートを開放し、
前記撮像データ解析部が、前記屋内撮像装置から屋内撮像データを受信して、この屋内撮像データを解析して入場人数を計数し、この入場人数を前記データ解析部に出力し、
前記データ解析部が、前記入場人数と、前記個人データ記憶部に登録されている前記第一の入場予定人数及び前記第二の入場予定人数の合計とが一致するか否かを判定して、一致する場合に処理を終了し、一致しない場合にこれを示す信号を前記不正入場者存在時作動装置に送信する
ことを特徴とする請求項７記載のデータ処理装置。
【請求項９】
前記ＩＣタグ装置が、第一の前記携帯端末に備えられた前記ＩＣタグから第一の人数及び第一の携帯端末識別情報を読み取って前記個人データ解析部に送信した後であって、前記ゲートが開放された後に、第二の前記携帯端末に備えられた前記ＩＣタグから第二の人数及び第二の携帯端末識別情報を読み取って前記個人データ解析部に送信すると、
前記個人データ解析部が、前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出して、この第二の入場予定人数を前記個人データ記憶部に登録し、前記第二の携帯端末識別情報が前記個人データ記憶部に登録されていない場合にこれを示す信号を前記不正入場者存在時作動装置に送信し、
前記撮像データ解析部が、前記屋内撮像装置から屋内撮像データを受信して、この屋内撮像データを解析して入場人数を計数し、この入場人数を前記データ解析部に出力し、
前記データ解析部が、前記入場人数と、前記個人データ記憶部に登録されている前記第一の入場予定人数及び前記第二の入場予定人数の合計とが一致するか否かを判定して、一致する場合に処理を終了し、一致しない場合にこれを示す信号を前記不正入場者存在時作動装置に送信する
ことを特徴とする請求項７記載のデータ処理装置。
【請求項１０】
構造物へのグループの入場を遮断するゲートを有する入場管理システムにおけるデータ処理装置であって、
携帯端末から受信した所定の人数と携帯端末識別情報と暗証番号を対応付けて個人データ記憶部に登録し、情報処理装置から受信した携帯端末識別情報と暗証番号が前記個人データ記憶部に登録されているかを確認し、登録されている場合に、前記携帯端末識別情報と前記暗証番号に対応付けて前記個人データ記憶部に登録されている前記所定の人数にもとづき入場予定人数を算出し、この入場予定人数を前記個人データ記憶部に登録して、認証に成功したことを示す信号を屋外撮像装置に送信する個人データ解析部と、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部と、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部と、
前記データ解析部から前記屋外人数と前記入場予定人数が一致することを示す信号を入力すると、前記ゲートを開放するゲート制御部と、を備えた
ことを特徴とするデータ処理装置。
【請求項１１】
構造物へのグループの入場を遮断するゲートを有する入場管理システムにおけるデータ処理装置であって、
携帯端末から受信した所定の人数と個人識別情報を対応付けて個人データ記憶部に登録するとともに、所定の媒体に備えられたＩＣタグからＩＣタグ装置により読み取られた前記個人識別情報を受信し、前記個人識別情報が前記個人データ記憶部に登録されているかを確認し、登録されている場合に、前記個人識別情報に対応付けて登録されている前記所定の人数にもとづき入場予定人数を算出し、この入場予定人数を前記個人データ記憶部に登録して、認証に成功したことを示す信号を屋外撮像装置に送信する個人データ解析部と、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部と、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部と、
前記データ解析部から前記屋外人数と前記入場予定人数が一致することを示す信号を入力すると、前記ゲートを開放するゲート制御部と、を備えた
ことを特徴とするデータ処理装置。
【請求項１２】
構造物へのグループの入場を遮断するゲートを有する入場管理システムによる入場管理方法であって、
携帯端末に備えられたＩＣタグが、所定の人数と携帯端末識別情報を記憶し、
ＩＣタグ装置が、前記ＩＣタグから前記所定の人数及び前記携帯端末識別情報を読み取って、データ処理装置に送信し、
前記データ処理装置が、前記携帯端末識別情報が個人データ記憶部に登録されているかを確認し、登録されている場合に、前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信し、
前記不正入場者存在時作動装置が、前記データ処理装置から前記一致しないことを示す信号を受信すると、警報の発動及び／又は入場者の撮像を行う
ことを特徴とする入場管理方法。
【請求項１３】
前記ＩＣタグ装置が、第一の前記携帯端末に備えられた前記ＩＣタグから第一の人数及び第一の携帯端末識別情報を読み取って前記データ処理装置に送信した後であって、前記ゲートが開放される前に、第二の前記携帯端末に備えられた前記ＩＣタグから第二の人数及び第二の携帯端末識別情報を読み取って前記データ処理装置に送信すると、
前記データ処理装置が、
前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出し、この第二の入場予定人数を前記個人データ記憶部に登録して、第二の携帯端末の認証に成功したことを示す信号を前記屋外撮像装置に送信し、
前記屋外撮像装置から屋外撮像データを受信して、この屋外撮像データを解析して屋外人数を計数し、前記屋外人数と、前記第一の入場予定人数及び前記第二の入場予定人数の合計とが一致するか否かを判定して、一致する場合に前記ゲートを開放するとともに、一致することを示す信号を前記屋内撮像装置に送信し、
前記屋内撮像装置から屋内撮像データを受信して、この屋内撮像データを解析して入場人数を計数し、前記入場人数と、前記第一の入場予定人数及び前記第二の入場予定人数の合計とが一致するか否かを判定して、一致する場合に処理を終了し、一致しない場合にこれを示す信号を前記不正入場者存在時作動装置に送信する
ことを特徴とする請求項１２記載の入場管理方法。
【請求項１４】
前記ＩＣタグ装置が、第一の前記携帯端末に備えられた前記ＩＣタグから第一の人数及び第一の携帯端末識別情報を読み取って前記データ処理装置に送信した後であって、前記ゲートが開放された後に、第二の前記携帯端末に備えられた前記ＩＣタグから第二の人数及び第二の携帯端末識別情報を読み取って前記データ処理装置に送信すると、
前記データ処理装置が、
前記第一の携帯端末識別情報が前記個人データ記憶部に登録されているかを確認し、登録されている場合に、前記第一の人数にもとづき第一の入場予定人数を算出し、この第一の入場予定人数を前記個人データ記憶部に登録して、第一の携帯端末の認証に成功したことを示す信号を前記屋外撮像装置に送信し、前記第二の携帯端末識別情報が前記個人データ記憶部に登録されているかを確認し、登録されている場合に、前記第二の人数にもとづき第二の入場予定人数を算出して、この第二の入場予定人数を前記個人データ記憶部に登録し、前記第二の携帯端末識別情報が前記個人データ記憶部に登録されていない場合にこれを示す信号を前記不正入場者存在時作動装置に送信し、
前記屋内撮像装置から屋内撮像データを受信して、この屋内撮像データを解析して入場人数を計数し、前記入場人数と、前記第一の入場予定人数及び前記第二の入場予定人数の合計とが一致するか否かを判定して、一致する場合に処理を終了し、一致しない場合にこれを示す信号を前記不正入場者存在時作動装置に送信し、
前記不正入場者存在時作動装置が、前記データ処理装置から前記登録されていないことを示す信号又は前記一致しないことを示す信号を受信すると、警報の発動及び／又は入場者の撮像を行う
ことを特徴とする請求項１２記載の入場管理方法。
【請求項１５】
構造物へのグループの入場を遮断するゲートを有する入場管理システムによる入場管理方法であって、
携帯端末が、所定の人数と携帯端末識別情報と暗証番号をデータ処理装置に送信し、
情報処理装置が、携帯端末識別情報と暗証番号を入力して前記データ処理装置に送信し、
前記データ処理装置が、前記携帯端末から受信した前記所定の人数と前記携帯端末識別情報と前記暗証番号を対応付けて個人データ記憶部に登録し、前記情報処理装置から受信した前記携帯端末識別情報と前記暗証番号が前記個人データ記憶部に登録されているかを確認し、登録されている場合に、前記携帯端末識別情報と前記暗証番号に対応付けて前記個人データ記憶部に登録されている前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信し、
前記不正入場者存在時作動装置が、前記データ処理装置から前記一致しないことを示す信号を受信すると、警報の発動及び／又は入場者の撮像を行う
ことを特徴とする入場管理方法。
【請求項１６】
構造物へのグループの入場を遮断するゲートを有する入場管理システムによる入場管理方法であって、
携帯端末が、所定の人数と個人識別情報をデータ処理装置に送信し、
ＩＣタグ装置が、所定の媒体に備えられたＩＣタグから前記個人識別情報を読み取って、前記データ処理装置に送信し、
前記データ処理装置が、前記携帯端末から受信した前記所定の人数と前記個人識別情報を対応付けて個人データ記憶部に登録し、前記ＩＣタグ装置から受信した前記個人識別情報が前記個人データ記憶部に登録されているかを確認し、登録されている場合に、前記個人識別情報に対応付けて登録されている前記所定の人数にもとづき入場予定人数を算出し、この入場予定人数を前記個人データ記憶部に登録して、認証に成功したことを示す信号を屋外撮像装置に送信し、前記屋外撮像装置から屋外撮像データを受信して、この屋外撮像データを解析して屋外人数を計数し、前記屋外人数と前記入場予定人数が一致するか否かを判定して、一致する場合に前記ゲートを開放するとともに、一致することを示す信号を屋内撮像装置に送信し、前記屋内撮像装置から屋内撮像データを受信して、この屋内撮像データを解析して入場人数を計数し、前記入場人数と前記入場予定人数とが一致するか否かを判定して、一致する場合に処理を終了し、一致しない場合にこれを示す信号を不正入場者存在時作動装置に送信し、
前記不正入場者存在時作動装置が、前記データ処理装置から前記一致しないことを示す信号を受信すると、警報の発動及び／又は入場者の撮像を行う
ことを特徴とする入場管理方法。
【請求項１７】
構造物へのグループの入場を遮断するゲートを有する入場管理システムにおけるデータ処理装置に、ゲートの開放を制御させる入場管理プログラムであって、
前記データ処理装置を、
携帯端末に備えられたＩＣタグからＩＣタグ装置により読み取られた所定の人数と携帯端末識別情報を受信して、前記携帯端末識別情報が個人データ記憶部に登録されているかを確認し、登録されている場合に、前記所定の人数にもとづき入場予定人数を算出し、この入場予定人数を前記個人データ記憶部に登録して、認証に成功したことを示す信号を屋外撮像装置に送信する個人データ解析部、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部、及び、
前記データ解析部から前記屋外人数と前記入場予定人数が一致することを示す信号を入力すると、前記ゲートを開放するゲート制御部
として機能させるための入場管理プログラム。
【請求項１８】
前記ＩＣタグ装置が、第一の前記携帯端末に備えられた前記ＩＣタグから第一の人数及び第一の携帯端末識別情報を読み取って前記個人データ解析部に送信した後であって、前記ゲートが開放される前に、第二の前記携帯端末に備えられた前記ＩＣタグから第二の人数及び第二の携帯端末識別情報を読み取って前記個人データ解析部に送信した場合に、
前記個人データ解析部に、前記第一の携帯端末識別情報が前記個人データ記憶部に登録されているかを確認させ、登録されている場合に、前記第一の人数にもとづき第一の入場予定人数を算出させ、この第一の入場予定人数を前記個人データ記憶部に登録させて、第一の携帯端末の認証に成功したことを示す信号を前記屋外撮像装置に送信させ、前記第二の携帯端末識別情報が前記個人データ記憶部に登録されているかを確認させ、登録されている場合に、前記第二の人数にもとづき第二の入場予定人数を算出させ、この第二の入場予定人数を前記個人データ記憶部に登録させて、第二の携帯端末の認証に成功したことを示す信号を前記屋外撮像装置に送信させ、
前記撮像データ解析部に、前記屋外撮像装置から屋外撮像データを受信させて、この屋外撮像データを解析させて屋外人数を計数させ、この屋外人数を前記データ解析部に出力させ、
前記データ解析部に、前記屋外人数と、前記個人データ記憶部に登録されている前記第一の入場予定人数及び前記第二の入場予定人数の合計とが一致するか否かを判定させて、一致する場合にこれを示す信号をゲート制御部に出力させるとともに、前記屋内撮像装置に送信させ、
前記ゲート制御部に、前記データ解析部から前記屋外人数と前記入場予定人数が一致することを示す信号が入力されると、前記ゲートを開放させ、
前記撮像データ解析部に、前記屋内撮像装置から屋内撮像データを受信させて、この屋内撮像データを解析させて入場人数を計数させ、この入場人数を前記データ解析部に出力させ、
前記データ解析部に、前記入場人数と、前記個人データ記憶部に登録されている前記第一の入場予定人数及び前記第二の入場予定人数の合計とが一致するか否かを判定させて、一致する場合に処理を終了させ、一致しない場合にこれを示す信号を前記不正入場者存在時作動装置に送信させる
ことを実行させるための請求項１７記載の入場管理プログラム。
【請求項１９】
前記ＩＣタグ装置が、第一の前記携帯端末に備えられた前記ＩＣタグから第一の人数及び第一の携帯端末識別情報を読み取って前記個人データ解析部に送信した後であって、前記ゲートが開放された後に、第二の前記携帯端末に備えられた前記ＩＣタグから第二の人数及び第二の携帯端末識別情報を読み取って前記個人データ解析部に送信した場合に、
前記個人データ解析部に、前記第一の携帯端末識別情報が前記個人データ記憶部に登録されているかを確認させ、登録されている場合に、前記第一の人数にもとづき第一の入場予定人数を算出させ、この第一の入場予定人数を前記個人データ記憶部に登録させて、第一の携帯端末の認証に成功したことを示す信号を前記屋外撮像装置に送信させ、前記第二の携帯端末識別情報が前記個人データ記憶部に登録されているかを確認させ、登録されている場合に、前記第二の人数にもとづき第二の入場予定人数を算出させて、この第二の入場予定人数を前記個人データ記憶部に登録させ、前記第二の携帯端末識別情報が前記個人データ記憶部に登録されていない場合にこれを示す信号を前記不正入場者存在時作動装置に送信させ、
前記撮像データ解析部に、前記屋内撮像装置から屋内撮像データを受信させて、この屋内撮像データを解析させて入場人数を計数させ、この入場人数を前記データ解析部に出力させ、
前記データ解析部に、前記入場人数と、前記個人データ記憶部に登録されている前記第一の入場予定人数及び前記第二の入場予定人数の合計とが一致するか否かを判定させて、一致する場合に処理を終了させ、一致しない場合にこれを示す信号を前記不正入場者存在時作動装置に送信させる
ことを実行させるための請求項１７記載の入場管理プログラム。
【請求項２０】
構造物へのグループの入場を遮断するゲートを有する入場管理システムにおけるデータ処理装置に、ゲートの開放を制御させる入場管理プログラムであって、
前記データ処理装置を、
携帯端末から受信した所定の人数と携帯端末識別情報と暗証番号を対応付けて個人データ記憶部に登録し、情報処理装置から受信した携帯端末識別情報と暗証番号が前記個人データ記憶部に登録されているかを確認し、登録されている場合に、前記携帯端末識別情報と前記暗証番号に対応付けて前記個人データ記憶部に登録されている前記所定の人数にもとづき入場予定人数を算出し、この入場予定人数を前記個人データ記憶部に登録して、認証に成功したことを示す信号を屋外撮像装置に送信する個人データ解析部、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部、及び、
前記データ解析部から前記屋外人数と前記入場予定人数が一致することを示す信号を入力すると、前記ゲートを開放するゲート制御部
として機能させるための入場管理プログラム。
【請求項２１】
構造物へのグループの入場を遮断するゲートを有する入場管理システムにおけるデータ処理装置に、ゲートの開放を制御させる入場管理プログラムであって、
前記データ処理装置を、
携帯端末から受信した所定の人数と個人識別情報を対応付けて個人データ記憶部に登録するとともに、所定の媒体に備えられたＩＣタグからＩＣタグ装置により読み取られた前記個人識別情報を受信し、前記個人識別情報が前記個人データ記憶部に登録されているかを確認し、登録されている場合に、前記個人識別情報に対応付けて登録されている前記所定の人数にもとづき入場予定人数を算出し、この入場予定人数を前記個人データ記憶部に登録して、認証に成功したことを示す信号を屋外撮像装置に送信する個人データ解析部、
前記屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数を前記データ解析部に出力する撮像データ解析部、
前記屋外人数と前記個人データ記憶部に登録されている前記入場予定人数が一致するか否かを判定して、一致する場合にこれを示す信号をゲート制御部に出力するとともに、前記屋内撮像装置に送信し、前記入場人数と前記個人データ記憶部に登録されている前記入場予定人数とが一致するか否かを判定して、一致する場合に処理を終了し、一致しない場合にこれを示す信号を警報の発動及び／又は入場者の撮像を行う不正入場者存在時作動装置に送信する前記データ解析部、及び、
前記データ解析部から前記屋外人数と前記入場予定人数が一致することを示す信号を入力すると、前記ゲートを開放するゲート制御部
として機能させるための入場管理プログラム。
【発明の詳細な説明】
【技術分野】
【０００１】
本発明は、マンションなどの施設等への入場の際のセキュリティを管理する入場管理システムに関し、特に、グループ毎に一括して認証を行うとともに、グループ毎に入場順番待ちが発生せず、認証を受けるグループの代表者が入場口にいない場合でも、そのグループの認証を行うことができる入場管理システム、データ処理装置、入場管理方法、及び入場管理プログラムに関する。
【背景技術】
【０００２】
従来、施設等への不正侵入を防止するための様々な技術が提案されている。
例えば、特許文献１に記載のセキュリティシステムによれば、入場適格者に携帯端末を携帯させて、警備制御装置により、警備区画毎に撮像された画像データに基づき監視対象物体の数を計数するとともに、携帯端末と交信してその数を計数し、監視対象物体の数と携帯端末の数を比較して、監視対象物体の数が多ければ、侵入者が存在すると判定して、警報信号を出力することが可能とされている。
また、特許文献２に記載の公開空間におけるセキュリティシステムによれば、撮像手段により撮像した画像を処理して人数をカウントするとともに、ＩＤ読み取り手段により携帯端末と通信して読み取られたＩＤ情報にもとづき人数をカウントし、これらのカウント値が一致するか否かにより不適格者を検知することが可能とされている。
【０００３】
しかし、これらのセキュリティシステムでは、第三者によって上記携帯端末のうちのいずれかが入手されてしまうと、当該第三者は不正侵入を行うことが可能となり、この不正侵入者を検知することは困難であるという問題があった。
また、これらのセキュリティシステムでは、入場者全員が携帯端末を所持している必要があるため、携帯端末を所持していない入場者がいる場合には、携帯端末の貸し出し等を行う必要が生じるなどシステムの運用にあたっての管理負荷が大きく、様々な施設などへの不正侵入防止に容易に適用し得るものではなかった。
【０００４】
一方、特許文献３に記載の入場管理装置等によれば、複数人数のグループが入館する際に、代表者１人の個人認証を行うことで、代表者以外の同伴者の個人認証を行わずに入館することが可能とされている。
また、特許文献４に記載の電子チケット料金後払いシステム等によれば、例えば、入場管理端末によりゲートの通過人数を検知し、入場する人数が電子チケットの枚数以下である場合にゲートを通過させ、電子チケットの枚数より多い人数が通過すると入場を一時停止したり、警報を鳴らしたりすることが可能とされている。
これら特許文献３や特許文献４に記載の発明によれば、入場者全員に携帯端末などを所持させる必要がなく、第三者に、認証のために必要な携帯端末などを入手されてしまうリスクを軽減することが可能となっている。
【０００５】
【特許文献１】特開２００５−２９２９４２号公報
【特許文献２】特開２００３−１３２４６８号公報
【特許文献３】特開２００３−２８８６２５号公報
【特許文献４】特開２００２−２９７８２３号公報
【発明の開示】
【発明が解決しようとする課題】
【０００６】
しかしながら、これらの従来の発明によれば、入場しようとするグループの入場処理が完了するまで、他のグループが入場できないという問題があった。すなわち、これらの発明では、グループ毎に入場順番待ちが発生するため、マンションや電車の入り口など、多くの人々が同時に入場するような構造物には、適用しにくいという問題があった。
【０００７】
また、これらの発明では、代表者が、必ず入場ゲートの近くの装置で個人認証を受ける必要があるという問題があった。このため、代表者が入場ゲートの近くに来られなくなった場合には、グループ全員が入場できなくなってしまうという問題があった。
さらに、これらの発明では、施設などに複数人が同時に入場する場合に適用することは難しく、このような施設などのゲートが開いた場合に便乗して不審者が侵入することを適切に抑止することができないという問題があった。
【０００８】
本発明は、上記の事情にかんがみなされたものであり、複数人が同時に施設などへ入場するに際して、グループ毎に認証を可能とし、かつ、グループ毎に入場順番待ちを発生させることなく、認証を受ける代表者が入場口にいない場合でも、グループの認証を行うことが可能で、不審者の侵入を適切に抑止可能な入場管理システム、データ処理装置、入場管理方法、及び入場管理プログラムの提供を目的とする。
【課題を解決するための手段】
【０００９】
上記目的を達成するため、本発明の入場管理システムは、構造物へのグループの入場を遮断するゲートを有する入場管理システムであって、所定の人数と携帯端末識別情報を記憶するＩＣタグを備えた携帯端末と、ＩＣタグから所定の人数及び携帯端末識別情報を読み取って、データ処理装置に送信するＩＣタグ装置と、携帯端末識別情報が個人データ記憶部に登録されているかを確認し、登録されている場合に、所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信するデータ処理装置と、データ処理装置から一致しないことを示す信号を受信すると、警報の発動及び／又は入場者の撮像を行う不正入場者存在時作動装置とを有する構成としてある。
【００１０】
入場管理システムをこのような構成にすれば、複数人が同時に施設などの構造物へ入場するに際して、グループ毎に認証を行うことができる。
また、グループの人数が入場予定人数と一致している場合に、ゲートを開放することができる。
さらに、ゲートを開放した後に、入場人数を計数して、これが入場予定人数と一致しているか否かを判定し、一致していない場合には、警報の発動や入場者の撮像を行うことができるため、ゲートが開いたときに無関係な人が便乗して侵入すると、これを把握することができ、その侵入者を排除することが可能となる。
【００１１】
また、本発明の入場管理システムは、ＩＣタグ装置が、第一の携帯端末に備えられたＩＣタグから第一の人数及び第一の携帯端末識別情報を読み取ってデータ処理装置に送信した後であって、ゲートが開放される前に、第二の携帯端末に備えられたＩＣタグから第二の人数及び第二の携帯端末識別情報を読み取ってデータ処理装置に送信すると、データ処理装置が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出し、この第二の入場予定人数を個人データ記憶部に登録して、第二の携帯端末の認証に成功したことを示す信号を屋外撮像装置に送信し、屋外撮像装置から屋外撮像データを受信して、この屋外撮像データを解析して屋外人数を計数し、屋外人数と、第一の入場予定人数及び第二の入場予定人数の合計とが一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と、第一の入場予定人数及び第二の入場予定人数の合計とが一致するか否かを判定して、一致する場合に処理を終了し、一致しない場合にこれを示す信号を不正入場者存在時作動装置に送信する構成としてある。
【００１２】
入場管理システムをこのような構成にすれば、複数人が同時に施設などの構造物へ入場するに際して、グループ毎に認証を行うことができるとともに、グループ毎に入場順番待ちを発生させることなく、入場を可能とすることができる。
すなわち、本発明によれば、あるグループがゲートに到着して認証を受け、ゲートが開く前に、他のグループがゲートに到着して認証を受けた場合、これらのグループ全体について、屋外人数が入場予定人数の合計に一致しているとの判定が得られた場合に、ゲートを開放することができる。
このため、これらのグループの人々は入場順番待ちをすることなく、また各グループの人々が入り交じった状態であっても、セキュリティが確保された状態での入場を行うことが可能となる。
【００１３】
また、本発明の入場管理システムは、ＩＣタグ装置が、第一の携帯端末に備えられたＩＣタグから第一の人数及び第一の携帯端末識別情報を読み取ってデータ処理装置に送信した後であって、ゲートが開放された後に、第二の携帯端末に備えられたＩＣタグから第二の人数及び第二の携帯端末識別情報を読み取ってデータ処理装置に送信すると、データ処理装置が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出して、この第二の入場予定人数を個人データ記憶部に登録し、第二の携帯端末識別情報が個人データ記憶部に登録されていない場合にこれを示す信号を不正入場者存在時作動装置に送信し、屋内撮像装置から屋内撮像データを受信して、この屋内撮像データを解析して入場人数を計数し、入場人数と、第一の入場予定人数及び第二の入場予定人数の合計とが一致するか否かを判定して、一致する場合に処理を終了し、一致しない場合にこれを示す信号を不正入場者存在時作動装置に送信し、不正入場者存在時作動装置が、データ処理装置から登録されていないことを示す信号又は一致しないことを示す信号を受信すると、警報の発動及び／又は入場者の撮像を行う構成としてある。
【００１４】
入場管理システムをこのような構成にすれば、第一のグループが施設などの構造物へゲートから入場している最中に、第二のグループがゲートに到着した場合、第二のグループの認証が失敗した場合には、警報の発動や入場者の撮像を行うことができる。
また、第二のグループなどが認証を行わずに入場すれば、入場人数が第一のグループの入場予定人数と一致しないこととなり、警報の発動や入場者の撮像が行われる。
【００１５】
そして、第二のグループの認証が成功すれば、第二のグループも入場することができ、この場合は、入場人数は第一と第二のグループの人数の合計に一致するため、警報の発動等は行われない。
これによって、ゲートが開いている場合でも、他のグループは認証を受けて入場することができるとともに、不審者の侵入を適切に抑止することが可能となる。
【００１６】
また、本発明の入場管理システムは、データ処理装置が、屋外人数と入場予定人数が一致するか否かを判定して、一致する場合に、一人当たり入場料金に屋外人数を乗算して合計入場料金を算出し、グループ全体の入場料金の精算処理を実行する構成としてある。
【００１７】
入場管理システムをこのような構成にすれば、グループの入場料金の合計を、データ処理装置に予め登録された代表者のクレジットカード情報にもとづいて、その支払い処理を行うことが可能となる。
また、携帯端末に備えられた電子マネーを保有するＩＣタグなどから、グループの入場料金の合計を引き落とすようにすることも可能である。
【００１８】
また、本発明の入場管理システムは、構造物へのグループの入場を遮断するゲートを有する入場管理システムであって、所定の人数と携帯端末識別情報と暗証番号をデータ処理装置に送信する携帯端末と、携帯端末識別情報と暗証番号を入力してデータ処理装置に送信する情報処理装置と、携帯端末から受信した所定の人数と携帯端末識別情報と暗証番号を対応付けて個人データ記憶部に登録し、情報処理装置から受信した携帯端末識別情報と暗証番号が個人データ記憶部に登録されているかを確認し、登録されている場合に、携帯端末識別情報と暗証番号に対応付けて個人データ記憶部に登録されている所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信するデータ処理装置と、データ処理装置から一致しないことを示す信号を受信すると、警報の発動及び／又は入場者の撮像を行う不正入場者存在時作動装置とを有する構成としてある。
【００１９】
入場管理システムをこのような構成にすれば、携帯端末を用いて、予め同伴者人数、携帯端末識別番号、暗証番号をデータ処理装置に登録しておくことにより、施設などの入場口において携帯端末を用いることなく、グループの認証を行うことができる。
すなわち、代表者が入場口に来られない場合などでも、当該グループにおける代表者以外の者が、代表者から携帯端末識別番号と暗証番号の連絡を受けて、これを入場口に備えられた外部装置などから入力し、外部装置からこれをデータ処理装置に送信することで、認証処理を実行するとともに、屋外人数の確認等の処理を行うことが可能である。
【００２０】
また、本発明の入場管理システムは、構造物へのグループの入場を遮断するゲートを有する入場管理システムであって、所定の人数と個人識別情報をデータ処理装置に送信する携帯端末と、個人識別情報を記憶するＩＣタグを備えた媒体と、ＩＣタグから個人識別情報を読み取って、データ処理装置に送信するＩＣタグ装置と、携帯端末から受信した所定の人数と個人識別情報を対応付けて個人データ記憶部に登録し、ＩＣタグ装置から受信した個人識別情報が個人データ記憶部に登録されているかを確認し、登録されている場合に、個人識別情報に対応付けて登録されている所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信するデータ処理装置と、データ処理装置から一致しないことを示す信号を受信すると、警報の発動及び／又は入場者の撮像を行う不正入場者存在時作動装置とを有する構成としてある。
【００２１】
入場管理システムをこのような構成にすれば、代表者がＩＣタグの備えられていない携帯端末を使用している場合でも、個人識別情報を記録することのできるＩＣタグを備えたカードなどを保有していれば、予め入場予定人数と個人識別情報を、携帯端末を用いてデータ処理装置に登録しておくことで、入場口において、カードを用いて認証処理を受けることができる。
すなわち、ＩＣタグ装置によって、カードのＩＣタグから個人識別情報を読み取らせ、これをＩＣタグ装置からデータ処理装置に送信し、認証処理を実行するとともに、屋外人数の確認等の処理を行うことが可能である。
【００２２】
また、本発明のデータ処理装置は、構造物へのグループの入場を遮断するゲートを有する入場管理システムにおけるデータ処理装置であって、携帯端末に備えられたＩＣタグからＩＣタグ装置により読み取られた所定の人数と携帯端末識別情報を受信して、携帯端末識別情報が個人データ記憶部に登録されているかを確認し、登録されている場合に、所定の人数にもとづき入場予定人数を算出し、この入場予定人数を個人データ記憶部に登録して、認証に成功したことを示す信号を屋外撮像装置に送信する個人データ解析部と、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部と、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部と、データ解析部から屋外人数と入場予定人数が一致することを示す信号を入力すると、ゲートを開放するゲート制御部とを備えた構成としてある。
【００２３】
また、本発明のデータ処理装置は、ＩＣタグ装置が、第一の携帯端末に備えられたＩＣタグから第一の人数及び第一の携帯端末識別情報を読み取って個人データ解析部に送信した後であって、ゲートが開放される前に、第二の携帯端末に備えられたＩＣタグから第二の人数及び第二の携帯端末識別情報を読み取って個人データ解析部に送信すると、個人データ解析部が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出し、この第二の入場予定人数を個人データ記憶部に登録して、第二の携帯端末の認証に成功したことを示す信号を屋外撮像装置に送信し、撮像データ解析部が、屋外撮像装置から屋外撮像データを受信して、この屋外撮像データを解析して屋外人数を計数し、この屋外人数をデータ解析部に出力し、データ解析部が、屋外人数と、個人データ記憶部に登録されている第一の入場予定人数及び第二の入場予定人数の合計とが一致するか否かを判定して、一致する場合にこれを示す信号をゲート制御部に出力するとともに、屋内撮像装置に送信し、ゲート制御部が、データ解析部から屋外人数と入場予定人数が一致することを示す信号を入力すると、ゲートを開放し、撮像データ解析部が、屋内撮像装置から屋内撮像データを受信して、この屋内撮像データを解析して入場人数を計数し、この入場人数をデータ解析部に出力し、データ解析部が、入場人数と、個人データ記憶部に登録されている第一の入場予定人数及び第二の入場予定人数の合計とが一致するか否かを判定して、一致する場合に処理を終了し、一致しない場合にこれを示す信号を不正入場者存在時作動装置に送信する構成としてある。
【００２４】
また、本発明のデータ処理装置は、ＩＣタグ装置が、第一の携帯端末に備えられたＩＣタグから第一の人数及び第一の携帯端末識別情報を読み取って個人データ解析部に送信した後であって、ゲートが開放された後に、第二の携帯端末に備えられたＩＣタグから第二の人数及び第二の携帯端末識別情報を読み取って個人データ解析部に送信すると、個人データ解析部が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出して、この第二の入場予定人数を個人データ記憶部に登録し、第二の携帯端末識別情報が個人データ記憶部に登録されていない場合にこれを示す信号を不正入場者存在時作動装置に送信し、撮像データ解析部が、屋内撮像装置から屋内撮像データを受信して、この屋内撮像データを解析して入場人数を計数し、この入場人数をデータ解析部に出力し、データ解析部が、入場人数と、個人データ記憶部に登録されている第一の入場予定人数及び第二の入場予定人数の合計とが一致するか否かを判定して、一致する場合に処理を終了し、一致しない場合にこれを示す信号を不正入場者存在時作動装置に送信する構成としてある。
【００２５】
また、本発明のデータ処理装置は、構造物へのグループの入場を遮断するゲートを有する入場管理システムにおけるデータ処理装置であって、携帯端末から受信した所定の人数と携帯端末識別情報と暗証番号を対応付けて個人データ記憶部に登録し、情報処理装置から受信した携帯端末識別情報と暗証番号が個人データ記憶部に登録されているかを確認し、登録されている場合に、携帯端末識別情報と暗証番号に対応付けて個人データ記憶部に登録されている所定の人数にもとづき入場予定人数を算出し、この入場予定人数を個人データ記憶部に登録して、認証に成功したことを示す信号を屋外撮像装置に送信する個人データ解析部と、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部と、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部と、データ解析部から屋外人数と入場予定人数が一致することを示す信号を入力すると、ゲートを開放するゲート制御部とを備えた構成としてある。
【００２６】
また、本発明のデータ処理装置は、構造物へのグループの入場を遮断するゲートを有する入場管理システムにおけるデータ処理装置であって、携帯端末から受信した所定の人数と個人識別情報を対応付けて個人データ記憶部に登録するとともに、所定の媒体に備えられたＩＣタグからＩＣタグ装置により読み取られた個人識別情報を受信し、個人識別情報が個人データ記憶部に登録されているかを確認し、登録されている場合に、個人識別情報に対応付けて登録されている所定の人数にもとづき入場予定人数を算出し、この入場予定人数を個人データ記憶部に登録して、認証に成功したことを示す信号を屋外撮像装置に送信する個人データ解析部と、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部と、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部と、データ解析部から屋外人数と入場予定人数が一致することを示す信号を入力すると、ゲートを開放するゲート制御部とを備えた
構成としてある。
【００２７】
また、本発明の入場管理方法は、構造物へのグループの入場を遮断するゲートを有する入場管理システムによる入場管理方法であって、携帯端末に備えられたＩＣタグが、所定の人数と携帯端末識別情報を記憶し、ＩＣタグ装置が、ＩＣタグから所定の人数及び携帯端末識別情報を読み取って、データ処理装置に送信し、データ処理装置が、携帯端末識別情報が個人データ記憶部に登録されているかを確認し、登録されている場合に、所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信し、不正入場者存在時作動装置が、データ処理装置から一致しないことを示す信号を受信すると、警報の発動及び／又は入場者の撮像を行う方法としてある。
【００２８】
また、本発明の入場管理方法は、ＩＣタグ装置が、第一の携帯端末に備えられたＩＣタグから第一の人数及び第一の携帯端末識別情報を読み取ってデータ処理装置に送信した後であって、ゲートが開放される前に、第二の携帯端末に備えられたＩＣタグから第二の人数及び第二の携帯端末識別情報を読み取ってデータ処理装置に送信すると、データ処理装置が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出し、この第二の入場予定人数を個人データ記憶部に登録して、第二の携帯端末の認証に成功したことを示す信号を屋外撮像装置に送信し、屋外撮像装置から屋外撮像データを受信して、この屋外撮像データを解析して屋外人数を計数し、屋外人数と、第一の入場予定人数及び第二の入場予定人数の合計とが一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と、第一の入場予定人数及び第二の入場予定人数の合計とが一致するか否かを判定して、一致する場合に処理を終了し、一致しない場合にこれを示す信号を不正入場者存在時作動装置に送信する方法としてある。
【００２９】
また、本発明の入場管理方法は、ＩＣタグ装置が、第一の携帯端末に備えられたＩＣタグから第一の人数及び第一の携帯端末識別情報を読み取ってデータ処理装置に送信した後であって、ゲートが開放された後に、第二の携帯端末に備えられたＩＣタグから第二の人数及び第二の携帯端末識別情報を読み取ってデータ処理装置に送信すると、データ処理装置が、第一の携帯端末識別情報が個人データ記憶部に登録されているかを確認し、登録されている場合に、第一の人数にもとづき第一の入場予定人数を算出し、この第一の入場予定人数を個人データ記憶部に登録して、第一の携帯端末の認証に成功したことを示す信号を屋外撮像装置に送信し、第二の携帯端末識別情報が個人データ記憶部に登録されているかを確認し、登録されている場合に、第二の人数にもとづき第二の入場予定人数を算出して、この第二の入場予定人数を個人データ記憶部に登録し、第二の携帯端末識別情報が個人データ記憶部に登録されていない場合にこれを示す信号を不正入場者存在時作動装置に送信し、屋内撮像装置から屋内撮像データを受信して、この屋内撮像データを解析して入場人数を計数し、入場人数と、第一の入場予定人数及び第二の入場予定人数の合計とが一致するか否かを判定して、一致する場合に処理を終了し、一致しない場合にこれを示す信号を不正入場者存在時作動装置に送信し、不正入場者存在時作動装置が、データ処理装置から登録されていないことを示す信号又は一致しないことを示す信号を受信すると、警報の発動及び／又は入場者の撮像を行う方法としてある。
【００３０】
また、本発明の入場管理方法は、構造物へのグループの入場を遮断するゲートを有する入場管理システムによる入場管理方法であって、携帯端末が、所定の人数と携帯端末識別情報と暗証番号をデータ処理装置に送信し、情報処理装置が、携帯端末識別情報と暗証番号を入力してデータ処理装置に送信し、データ処理装置が、携帯端末から受信した所定の人数と携帯端末識別情報と暗証番号を対応付けて個人データ記憶部に登録し、情報処理装置から受信した携帯端末識別情報と暗証番号が個人データ記憶部に登録されているかを確認し、登録されている場合に、携帯端末識別情報と暗証番号に対応付けて個人データ記憶部に登録されている所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信し、不正入場者存在時作動装置が、データ処理装置から一致しないことを示す信号を受信すると、警報の発動及び／又は入場者の撮像を行う方法としてある。
【００３１】
また、本発明の入場管理方法は、構造物へのグループの入場を遮断するゲートを有する入場管理システムによる入場管理方法であって、携帯端末が、所定の人数と個人識別情報をデータ処理装置に送信し、ＩＣタグ装置が、所定の媒体に備えられたＩＣタグから個人識別情報を読み取って、データ処理装置に送信し、データ処理装置が、携帯端末から受信した所定の人数と個人識別情報を対応付けて個人データ記憶部に登録し、ＩＣタグ装置から受信した個人識別情報が個人データ記憶部に登録されているかを確認し、登録されている場合に、個人識別情報に対応付けて登録されている所定の人数にもとづき入場予定人数を算出し、この入場予定人数を個人データ記憶部に登録して、認証に成功したことを示す信号を屋外撮像装置に送信し、屋外撮像装置から屋外撮像データを受信して、この屋外撮像データを解析して屋外人数を計数し、屋外人数と入場予定人数が一致するか否かを判定して、一致する場合にゲートを開放するとともに、一致することを示す信号を屋内撮像装置に送信し、屋内撮像装置から屋内撮像データを受信して、この屋内撮像データを解析して入場人数を計数し、入場人数と入場予定人数とが一致するか否かを判定して、一致する場合に処理を終了し、一致しない場合にこれを示す信号を不正入場者存在時作動装置に送信し、不正入場者存在時作動装置が、データ処理装置から一致しないことを示す信号を受信すると、警報の発動及び／又は入場者の撮像を行う方法としてある。
【００３２】
また、本発明の入場管理プログラムは、構造物へのグループの入場を遮断するゲートを有する入場管理システムにおけるデータ処理装置に、ゲートの開放を制御させる入場管理プログラムであって、データ処理装置を、携帯端末に備えられたＩＣタグからＩＣタグ装置により読み取られた所定の人数と携帯端末識別情報を受信して、携帯端末識別情報が個人データ記憶部に登録されているかを確認し、登録されている場合に、所定の人数にもとづき入場予定人数を算出し、この入場予定人数を個人データ記憶部に登録して、認証に成功したことを示す信号を屋外撮像装置に送信する個人データ解析部、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部、及び、データ解析部から屋外人数と入場予定人数が一致することを示す信号を入力すると、ゲートを開放するゲート制御部として機能させる構成としてある。
【００３３】
また、本発明の入場管理プログラムは、ＩＣタグ装置が、第一の携帯端末に備えられたＩＣタグから第一の人数及び第一の携帯端末識別情報を読み取って個人データ解析部に送信した後であって、ゲートが開放される前に、第二の携帯端末に備えられたＩＣタグから第二の人数及び第二の携帯端末識別情報を読み取って個人データ解析部に送信した場合に、個人データ解析部に、第一の携帯端末識別情報が個人データ記憶部に登録されているかを確認させ、登録されている場合に、第一の人数にもとづき第一の入場予定人数を算出させ、この第一の入場予定人数を個人データ記憶部に登録させて、第一の携帯端末の認証に成功したことを示す信号を屋外撮像装置に送信させ、第二の携帯端末識別情報が個人データ記憶部に登録されているかを確認させ、登録されている場合に、第二の人数にもとづき第二の入場予定人数を算出させ、この第二の入場予定人数を個人データ記憶部に登録させて、第二の携帯端末の認証に成功したことを示す信号を屋外撮像装置に送信させ、撮像データ解析部に、屋外撮像装置から屋外撮像データを受信させて、この屋外撮像データを解析させて屋外人数を計数させ、この屋外人数をデータ解析部に出力させ、データ解析部に、屋外人数と、個人データ記憶部に登録されている第一の入場予定人数及び第二の入場予定人数の合計とが一致するか否かを判定させて、一致する場合にこれを示す信号をゲート制御部に出力させるとともに、屋内撮像装置に送信させ、ゲート制御部に、データ解析部から屋外人数と入場予定人数が一致することを示す信号が入力されると、ゲートを開放させ、撮像データ解析部に、屋内撮像装置から屋内撮像データを受信させて、この屋内撮像データを解析させて入場人数を計数させ、この入場人数をデータ解析部に出力させ、データ解析部に、入場人数と、個人データ記憶部に登録されている第一の入場予定人数及び第二の入場予定人数の合計とが一致するか否かを判定させて、一致する場合に処理を終了させ、一致しない場合にこれを示す信号を不正入場者存在時作動装置に送信させる構成としてある。
【００３４】
また、本発明の入場管理プログラムは、ＩＣタグ装置が、第一の携帯端末に備えられたＩＣタグから第一の人数及び第一の携帯端末識別情報を読み取って個人データ解析部に送信した後であって、ゲートが開放された後に、第二の携帯端末に備えられたＩＣタグから第二の人数及び第二の携帯端末識別情報を読み取って個人データ解析部に送信した場合に、個人データ解析部に、第一の携帯端末識別情報が個人データ記憶部に登録されているかを確認させ、登録されている場合に、第一の人数にもとづき第一の入場予定人数を算出させ、この第一の入場予定人数を個人データ記憶部に登録させて、第一の携帯端末の認証に成功したことを示す信号を屋外撮像装置に送信させ、第二の携帯端末識別情報が個人データ記憶部に登録されているかを確認させ、登録されている場合に、第二の人数にもとづき第二の入場予定人数を算出させて、この第二の入場予定人数を個人データ記憶部に登録させ、第二の携帯端末識別情報が個人データ記憶部に登録されていない場合にこれを示す信号を不正入場者存在時作動装置に送信させ、撮像データ解析部に、屋内撮像装置から屋内撮像データを受信させて、この屋内撮像データを解析させて入場人数を計数させ、この入場人数をデータ解析部に出力させ、データ解析部に、入場人数と、個人データ記憶部に登録されている第一の入場予定人数及び第二の入場予定人数の合計とが一致するか否かを判定させて、一致する場合に処理を終了させ、一致しない場合にこれを示す信号を不正入場者存在時作動装置に送信させる構成としてある。
【００３５】
また、本発明の入場管理プログラムは、構造物へのグループの入場を遮断するゲートを有する入場管理システムにおけるデータ処理装置に、ゲートの開放を制御させる入場管理プログラムであって、データ処理装置を、携帯端末から受信した所定の人数と携帯端末識別情報と暗証番号を対応付けて個人データ記憶部に登録し、情報処理装置から受信した携帯端末識別情報と暗証番号が個人データ記憶部に登録されているかを確認し、登録されている場合に、携帯端末識別情報と暗証番号に対応付けて個人データ記憶部に登録されている所定の人数にもとづき入場予定人数を算出し、この入場予定人数を個人データ記憶部に登録して、認証に成功したことを示す信号を屋外撮像装置に送信する個人データ解析部、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部、及び、データ解析部から屋外人数と入場予定人数が一致することを示す信号を入力すると、ゲートを開放するゲート制御部として機能させる構成としてある。
【００３６】
また、本発明の入場管理プログラムは、構造物へのグループの入場を遮断するゲートを有する入場管理システムにおけるデータ処理装置に、ゲートの開放を制御させる入場管理プログラムであって、データ処理装置を、携帯端末から受信した所定の人数と個人識別情報を対応付けて個人データ記憶部に登録するとともに、所定の媒体に備えられたＩＣタグからＩＣタグ装置により読み取られた個人識別情報を受信し、個人識別情報が個人データ記憶部に登録されているかを確認し、登録されている場合に、個人識別情報に対応付けて登録されている所定の人数にもとづき入場予定人数を算出し、この入場予定人数を個人データ記憶部に登録して、認証に成功したことを示す信号を屋外撮像装置に送信する個人データ解析部、屋外撮像装置から屋外撮像データを受信して、この屋外撮像データを解析して屋外人数を計数し、この屋外人数をデータ解析部に出力し、屋内撮像装置から屋内撮像データを受信して、この屋内撮像データを解析して入場人数を計数し、この入場人数をデータ解析部に出力する撮像データ解析部、屋外人数と個人データ記憶部に登録されている入場予定人数が一致するか否かを判定して、一致する場合にこれを示す信号をゲート制御部に出力するとともに、屋内撮像装置に送信し、入場人数と個人データ記憶部に登録されている入場予定人数とが一致するか否かを判定して、一致する場合に処理を終了し、一致しない場合にこれを示す信号を警報の発動及び／又は入場者の撮像を行う不正入場者存在時作動装置に送信するデータ解析部、及び、データ解析部から屋外人数と入場予定人数が一致することを示す信号を入力すると、ゲートを開放するゲート制御部として機能させる構成としてある。
【００３７】
データ処理装置、入場管理プログラムをこのような構成にし、また入場管理方法をこのような方法にすれば、複数人が同時に施設などの構造物へ入場するにあたり、グループ毎に認証を行うことができる。
また、ゲートを開放した後に、入場人数を計数して、これが入場予定人数と一致しているか否かを判定し、一致していない場合には、警報の発動や入場者の撮像を行うことができるため、ゲートが開いたときに便乗して侵入した不審者を把握することができ、その侵入を抑止することが可能となる。
【００３８】
さらに、複数人が同時に施設などの構造物へ入場するに際して、グループ毎に認証を行うことができるとともに、グループ毎に入場順番待ちを発生させることなく、入場を可能とすることができる。
また、代表者が入場口に来られない場合などでも、他の人が代表者から携帯端末識別番号と暗証番号の連絡を受けて、これを入場口に備えられた外部装置などから入力することで、携帯端末を用いた場合と同様の認証処理や屋外人数の確認等の処理を行うことができる。
【００３９】
さらに、代表者がＩＣタグの備えられていない携帯端末を使用している場合でも、個人識別情報を記録することのできるＩＣタグを備えたカードなどを保有していれば、予め入場予定人数と個人識別情報を、携帯端末を用いてデータ処理装置に登録しておくことで、入場口において、ＩＣタグ付きの携帯端末を用いた場合と同様に、カードにより認証処理等を受けることが可能となる。
【発明の効果】
【００４０】
本発明によれば、複数人が施設などの構造物へ入場するにあたり、グループ毎に認証を行うことができ、グループの人数が入場予定人数と一致している場合に、ゲートを開放することができる。
また、ゲートを開放した後に、入場人数を計数して、これが入場予定人数と一致しているか否かを判定し、一致していない場合には、警報の発動や入場者の撮像を行うことができるため、ゲートが開いたときに便乗して侵入した不審者を把握することができ、その侵入を抑止することが可能となる。
【発明を実施するための最良の形態】
【００４１】
以下、本発明に係る入場管理システムの好ましい実施形態について、図面を参照しつつ説明する。
なお、以下の実施形態に示す本発明の入場管理システムは、プログラムに制御されたコンピュータにより動作するようになっている。コンピュータのＣＰＵは、プログラムにもとづいてコンピュータの各構成要素に指令を送り、データ処理装置等の動作に必要となる所定の処理、例えば、ＩＣタグ情報解析処理、屋外人数解析処理、入場人数解析処理、データ比較処理等を行わせる。このように、本発明の入場管理システムにおける各処理，動作は、プログラムとコンピュータとが協働した具体的手段により実現できるものである。
【００４２】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００４３】
まず、本発明の実施形態の入場管理システムの概略を、図１を参照して説明する。図１は、本実施形態の入場管理システムの概略構成を示す図であり、同システムを適用したマンションなどの施設の入口付近を上から見た様子を示している。
同図に示すように、施設の入場口にはゲートが設けられており、ゲートの外側には屋外人数計数エリアが、ゲートの内側には入場人数計数エリアが設けられている。
【００４４】
また、ゲートの外側には、屋外人数計数エリアに存在する人を撮像するための屋外撮像装置３０が設けられている。この屋外撮像装置３０によって撮像して得られたデータは、データ処理装置５０に送信され、屋外人数計数エリアに存在する人数の計数が行われる。
さらに、ゲートの外側にはＩＣタグ装置２０と外部装置７０が設けられている。
【００４５】
ＩＣタグ装置２０は、屋外人数計数エリアに到着したグループの代表者の携帯端末のＩＣタグに記録された情報を読み取るための装置である。読み取られたＩＣタグ情報は、データ処理装置５０に送信されて解析され、代表者の携帯端末の認証処理が行われるとともに、この読み取られたＩＣタグ情報に含まれる入場予定人数がデータ処理装置５０により取得される。
そして、データ処理装置５０により、入場予定人数と屋外人数計数エリアに存在する人数が一致するか否かが判定されて、一致する場合に、ゲートが開放される。
【００４６】
外部装置７０は、データ処理装置５０による認証処理や各種判定処理がエラーとなった場合に、これらの処理を、データ処理装置５０に再度実行させるための命令を入力するために用いられる。また、グループの代表者が入場口に来られない場合などにおいて、代表者の代わりの者が、グループの認証情報を手入力するために用いられる。
【００４７】
ゲートの内側には、入場人数計数エリアに存在する人を撮像するための屋内撮像装置４０が設けられている。この屋内撮像装置４０によって撮像して得られたデータは、データ処理装置５０に送信され、入場人数計数エリアに存在する人数の計数が行われる。
データ処理装置５０は、入場予定人数と入場人数計数エリアに存在する人数が一致するか否かを判定する。そして、一致しない場合には、撮像装置６２を作動させることにより、入場者を撮像し、不正侵入者を録画することなどが可能となっている。
【００４８】
［第一実施形態］
次に、本発明の第一実施形態の入場管理システムの構成について、図２を参照して説明する。同図は、本実施形態の入場管理システムの構成を示すブロック図である。
図２に示すように、本実施形態の入場管理システムは、携帯端末１０、ＩＣ（Integrated Circuit）タグ装置２０、屋外撮像装置３０、屋内撮像装置４０、データ処理装置５０、不正入場者存在時作動装置６０、及び外部装置７０を有している。
【００４９】
携帯端末１０は、マンションなどの施設に入場するグループの代表者が使用する携帯電話機やＰＨＳ、ＰＤＡなどの装置であり、図２に示すように、ＩＣタグ１１、及びデータ記憶部１２を備えている。
ＩＣタグ１１は、携帯端末に備えることができるものであれば、特に限定されるものではなく、例えばRFID（Radio Frequency
Identification System）タグや、非接触IC「FeliCa：登録商標」（フェリカ：登録商標）などを用いることができる。また、ＩＣタグ１１は携帯端末１０に内蔵するものとするほか、例えば携帯電話用ストラップ型のものとするなど外部に備えるものとすることもできる。
【００５０】
このＩＣタグ１１には、携帯端末１０を識別する携帯端末番号（携帯端末識別情報）が記憶されている。
また、ＩＣタグ１１には、グループの代表者が、マンションなどの施設に入場する際の同伴者人数を記憶させることができる。この同伴者人数とは、代表者が施設等に入場する際に同伴する人数であり、入場予定人数から代表者の１名を除いた人数である。
【００５１】
入場管理システムにおけるセキュリティを確保するため、同伴者人数をＩＣタグ１１に記憶させる際には、暗証番号入力による認証を必要とすることが好ましい。すなわち、携帯端末１０は、入力された暗証番号が、事前に携帯端末１０に記憶されている所定の暗証番号と一致する場合にのみ、携帯端末１０のＩＣタグ１１に同伴者人数を入力して記憶可能とすることが好ましい。
携帯端末１０は、ＩＣタグ１１に記憶されたデータを、一定の保存時間が経過すると、自動的に削除する。これにより、万一携帯端末１０が第三者に入手された場合でも、不正に利用されることを抑止することが可能となる。
【００５２】
データ記憶部１２は、携帯端末１０に内蔵又は外部接続することのできるメモリなどの記憶装置である。データ記憶部１２には、ＩＣタグ１１に記憶されたデータを自動的に削除するまでの保存時間などを記憶させることができる。このように、使用頻度が高く、変更の少ないデータについては、予めデータ記憶部１２に記憶させておくことにより、これらのデータを携帯端末１０に毎回入力する手間を省くことが可能となる。
なお、上記の通り、本発明の入場管理システムによれば、携帯端末１０は代表者が所持していればよく、入場予定者全員が所持する必要はない。
【００５３】
ＩＣタグ装置２０は、ＩＣタグに記憶された情報を読み取って、これをデータ処理装置５０に送信する装置であり、ＩＣタグ読取装置２１、及びＩＣタグ情報送信部２２を備えている。
ＩＣタグ読取装置２１は、携帯端末１０に備えられたＩＣタグ１１に記録されている情報を読み取るＩＣタグリーダ又はＩＣタグリーダライタである。
ＩＣタグ情報送信部２２は、ＩＣタグ読取装置２１により読み取られた情報をデータ処理装置５０に送信する。
【００５４】
屋外撮像装置３０は、屋外人数計数エリアに存在する人々を撮影するデジタルビデオカメラなどの装置であり、撮像装置３１、及び撮像データ送信部３２を備えている。
撮像装置３１は、屋外人数計数エリアにおける様子を撮影する装置であり、屋外人数計数エリアにいる人物を撮影することができる。
撮像データ送信部３２は、撮像装置３１により撮影して得られたデータ（以下、屋外撮影データと称する場合がある。）を、データ処理装置５０に送信する。
図２において、屋外撮像装置３０は一台のみ示しているが、二台以上とすることも可能である。
【００５５】
屋内撮像装置４０も、屋外撮像装置３０と同様に、デジタルビデオカメラなどの装置であり、入場人数計数エリアに存在する人々を撮影するものである。
屋内撮像装置４０は、撮像装置４１、及び撮像データ送信部４２を備えている。
撮像装置４１は、入場人数計数エリアにおける様子を撮影する装置であり、入場人数計数エリアにいる人物を撮影することができる。
撮像データ送信部４２は、撮像装置４１により撮影して得られたデータ（以下、屋内撮影データと称する場合がある。）を、データ処理装置５０に送信する。
屋内撮像装置４０も、入場管理システムにおいて、二台以上設けることが可能である。
【００５６】
データ処理装置５０は、入場管理システムにおける各種解析処理等を実行するものであり、パーソナルコンピュータやサーバ等とすることができる。
このデータ処理装置５０は、図２に示すように、撮像データ解析部５１、個人データ解析部５２、ゲート制御部５３、個人データ記憶部５４、データ解析部５５、及び通信インタフェース５６，５７を備えている。
【００５７】
撮像データ解析部５１は、屋外撮像装置３０における撮像データ送信部３２から屋外撮像データを通信インタフェース５６を介して受信し、この屋外撮像データにもとづき屋外人数計数エリアに存在する人数（以下、屋外人数と称する場合がある。）を計数する。
また、屋内撮像装置４０における撮像データ送信部４２から屋内撮像データを受信し、この屋内撮像データにもとづき入場した人数（以下、入場人数と称する場合がある。）を計数する。
そして、撮像データ解析部５１は、計数された屋外人数及び入場人数をデータ解析部５５に出力する。
【００５８】
なお、屋外撮像データ及び屋内撮像データは、人数を計数するために使用するデータであれば、そのデータの種類は問わない。
計数方法としては、例えば、所定の基準データと撮像データとを比較してその差分又は変化から、計数エリア内に存在する人数を計数する方法や、撮像データから人の形状などの特徴にもとづき計数エリア内に存在する人を検出し、その数を計数する方法などの従来公知の各種方法を用いることができる。
【００５９】
個人データ解析部５２は、ＩＣタグ読取装置２１によってＩＣタグ１１から読み取られたデータを、ＩＣタグ情報送信部２２から受信する。このデータには、携帯端末１０の携帯端末番号と、同伴者人数が含まれている。
そして、個人データ解析部５２は、受信した携帯端末番号を、個人データ記憶部５４に記憶されている携帯端末番号と照合し、これらが一致するか否かを判定する。
【００６０】
判定の結果、これらが一致する場合、個人データ解析部５２は、受信した同伴者人数に、代表者の分の１名を合計した入場予定人数を個人データ記憶部５４に記憶させ、携帯端末１０の認証が成功したことを示す信号を、屋外撮像装置３０に送信する。
一致しない場合は、個人データ解析部５２は、携帯端末１０の認証に失敗したことを示す信号を外部装置７０に送信し、外部装置７０は、この認証に失敗したことを示す信号を受信すると、これに対応するエラーメッセージをメッセージ表示部７３に表示させる。
【００６１】
ゲート制御部５３は、データ解析部５５から屋外にいる人数と入場予定人数が一致したことを示す信号を入力すると、ゲートを開放する。
なお、本発明において、ゲートの閉鎖タイミングについては、従来公知の各種方法を用いることができる。例えば、最後に人が通過してから、一定時間内に人がゲートを通過しない場合に、ゲート制御部５３によりゲートの閉鎖を行うことができる。
【００６２】
個人データ記憶部５４は、グループの代表者の携帯端末１０の携帯端末番号を記憶する。この携帯端末番号は、第三者によって他の携帯端末を使用した不正侵入が行われることを防止するために用いられるものであり、本発明の入場管理システムを適用した施設に入場する前に、事前に個人データ記憶部５４に登録すべきものである。
【００６３】
携帯端末番号の登録方法としては、例えば携帯端末１０から通信回線を介してデータ処理装置５０にアクセスし、携帯端末番号を個人データ記憶部５４に記憶させるなどの方法とすることができるが、この方法に特に限定されるものではない。携帯端末番号は、一度登録しておけば、入場の度に事前に入力する必要はない。
また、個人データ記憶部５４は、個人データ解析部５２から入力した入場予定人数（同伴者人数＋１）を記憶する。
さらに、携帯端末１０から通信回線を介して受信した入場予定人数を記憶することもできる。
【００６４】
データ解析部５５は、撮像データ解析部５１から屋外人数計数エリアにいる人数の計数結果を入力すると、この屋外人数を個人データ記憶部５４に記憶された入場予定人数と照合し、これらが一致するか否かを判定する。
そして、一致した場合、データ解析部５５は、ゲートの開放を指示させるため、一致していることを示す信号をゲート制御部５３に送信する。
一方、一致しない場合、データ解析部５５は、外部装置７０に屋外人数が入場予定人数と一致していないことを示す信号を送信し、外部装置７０は、屋外人数が入場予定人数と一致していないことを示す信号を受信すると、これに対応するエラーメッセージをメッセージ表示部７３に表示させる。
【００６５】
また、データ解析部５５は、撮像データ解析部５１から入場人数計数エリアにいる人数の計数結果を入力すると、この入場人数を個人データ記憶部５４に記憶された入場予定人数と照合し、これらが一致するか否かを判定する。
そして、一致した場合、データ解析部５５は、処理を終了する。これによって、本発明の入場管理システムにおける一連の動作は完了する。
一方、一致しない場合、データ解析部５５は、不正侵入者が存在することを意味する、一致しないことを示す信号を不正入場者存在時作動装置６０における警報発動装置６１及び撮像装置６２に送信する。
【００６６】
通信インタフェース５６は、携帯端末１０，ＩＣタグ装置２０，屋外撮像装置３０，屋内撮像装置４０，外部装置７０と、データ処理装置５０における各解析部との通信を仲介する装置である。すなわち、携帯端末１０やＩＣタグ装置２０等と、撮像データ解析部５１、個人データ解析部５２、及びデータ解析部５５とは、この通信インタフェース５６を介して、情報の送受信を行う。
通信インタフェース５７は、データ解析部５５と、警報発動装置６１及び撮像装置６２との通信を仲介する装置である。
【００６７】
不正入場者存在時作動装置６０は、マンションなどの施設に実際に入場した人数が、個人データ記憶部５４に記憶されている入場予定人数と一致しない場合、例えばゲートが開いたときに不審者が突然現れて入場した場合などのように入場人数が入場予定人数よりも多くなり、不正入場者が存在すると判定されたような場合に、作動する装置であり、図２に示すように、警報発動装置６１、撮像装置６２、及び撮像データ記憶装置６３を備えている。
【００６８】
警報発動装置６１は、データ解析部５５から不正侵入者が存在することを示す信号を受信すると、警報を発動する。
撮像装置６２は、データ解析部５５から不正侵入者が存在することを示す信号を受信すると、撮像を開始し、入場者を録画する。
撮像データ記憶装置６３は、撮像装置６２から撮像して得られたデータを入力して、これを記憶する。
【００６９】
外部装置７０は、入場者の操作によって、屋外撮像装置３０に対して、屋外人数計数エリアの撮像を指示する信号を送信したり、屋内撮像装置４０に対して、入場人数計数エリアの撮像を指示する信号を送信する。
これによって、屋外撮像装置３０や屋内撮像装置４０からデータ処理装置５０に撮像データが送信され、データ処理装置５０において屋外人数計数エリアにいる人数や入場人数計数エリアにする人数の再計数を行わせることが可能となる。
【００７０】
また、外部装置７０は、入場者の操作によって、ＩＣタグ装置２０に対して、携帯端末１０のＩＣタグ１１に記憶されたデータの再読み込みを指示する信号を送信することもできる。
外部装置７０は、図２に示すように、データ入力装置７１、入力データ送信部７２、及びメッセージ表示部７３を備えている。
データ入力装置７１は、入場者等の操作によって、各種指示要求情報等を外部装置７０に入力する。
【００７１】
入力データ送信部７２は、データ入力装置７１から入力されたデータを、屋外撮像装置３０、屋内撮像装置４０、データ処理装置５０等に送信する。
メッセージ表示部７３は、データ処理装置５０から受信した信号に対応するメッセージを表示する。
なお、図示しないが、外部装置７０において、入場を管理するセンターと通信する機能を設け、何からの異常があった場合に、入場管理システムの利用者等が、センターと通信できるようにすることも好ましい。
【００７２】
次に、本実施形態の入場管理システムにおける処理手順について、図３を参照して説明する。同図は、本実施形態の入場管理システムにおける処理手順を示すフローチャートである。
本実施形態は、代表者とその同伴者からなるグループが、施設等に入場する場合の入場管理システムに関するものである。
【００７３】
まず、マンションなどの施設への入場を行おうとするグループの代表者により、事前に、携帯端末１０は同伴者人数を入力する（ステップ１０）。この同伴者人数の入力は、第三者によって不正に行われることを防止するため、携帯端末１０に暗証番号を入力して認証に成功した後に行えるようにすることが好ましい。
携帯端末１０への同伴者人数の入力は、ゲートから離れている場所でも、ゲートに到着してからでも勿論可能である。
【００７４】
入力された同伴者人数は、携帯端末１０のＩＣタグ１１に記憶される。なお、ＩＣタグ１１における同伴者人数のデフォルト値を「０」名に設定しておくことで、代表者が１名で入場する場合に、同伴者人数として「０」名を入力する手間を省くことができる。
【００７５】
次に、代表者とその同伴者からなるグループは、ＩＣタグ１１に記憶された同伴者人数が自動的に削除されるまでの一定時間内に、ゲートに到着する（ステップ１１）。
そして、携帯端末１０のＩＣタグ１１に記憶されているデータを、ＩＣタグ装置２０におけるＩＣタグ読取装置２１によって読み取らせる。このとき読み取られるデータには、携帯端末番号と同伴者人数が含まれる。
【００７６】
そして、これらのデータは、ＩＣタグ情報送信部２２によりデータ処理装置５０に送信される。
データ処理装置５０における個人データ解析部５２は、受信した携帯端末番号を、個人データ記憶部５４に記憶されている携帯端末番号と照合し、受信した携帯端末番号と一致する携帯端末番号が個人データ記憶部５４に登録されているか否かを判定する（ステップ１２，１３）。
【００７７】
受信した携帯端末番号に一致する携帯端末番号が個人データ記憶部５４に登録されている場合（ステップ１３のＹｅｓ）、個人データ解析部５２は、携帯端末番号と共に読み取られた同伴者人数に代表者の１名を合計した入場予定人数を個人データ記憶部５４に記憶させる。
また、携帯端末１０の認証に成功したことを示す信号を、屋外撮像装置３０に送信する。
一方、受信した携帯端末番号に一致する携帯端末番号が個人データ記憶部５４に登録されていない場合（ステップ１３のＮｏ）、個人データ解析部５２は、携帯端末１０の認証に失敗したことを示す信号を外部装置７０に送信する。
【００７８】
外部装置７０は、認証に失敗したことを示す信号を受信すると、これに対応するエラーメッセージをメッセージ表示部７３に表示させる（ステップ１４）。
そして、代表者は、再度ＩＣタグ読取装置２１に携帯端末１０のＩＣタグ１１に記憶された情報を読み取らせて、個人データ解析部５２による上述したステップ１２におけるＩＣタグ情報の解析処理から再実行させることができる。
なお、図示していないが、ステップ１０の同伴者人数の入力処理から再実行することも勿論可能である。
【００７９】
次に、屋外撮像装置３０は、個人データ解析部５２から携帯端末１０の認証が成功したことを示す信号を入力すると、撮像装置３１により屋外人数計数エリアに存在する代表者及びその同伴者からなるグループの人物を撮像し、撮像して得られたデータを撮像データ送信部３２によりデータ処理装置５０における撮像データ解析部５１に送信する。
【００８０】
次に、撮像データ解析部５１は、屋外撮像データを受信すると、これを解析して、屋外人数計数エリアにいる人数を計数し（ステップ１５）、得られた屋外人数をデータ解析部５５に出力する。
データ解析部５５は、屋外人数を入力すると、この屋外人数を個人データ記憶部５４に記憶されている入場予定人数と照合して、一致するか否かを判定する（ステップ１６）。
【００８１】
そして、屋外人数が入場予定人数と一致している場合（ステップ１６のＹｅｓ）、データ解析部５５は、屋外人数が正常であることを示す信号（屋外人数が入場予定人数と一致していることを示す信号）をゲート制御部５３に出力する。
ゲート制御部５３は、屋外人数が正常であることを示す信号を入力すると、ゲートを開放する（ステップ１８）。
これによって、グループは、施設内に入場することが可能となる。
【００８２】
一方、屋外人数が入場予定人数と一致していない場合（ステップ１６のＮｏ）、データ解析部５５は、屋外人数が異常であることを示す信号（屋外人数が入場予定人数と一致していないことを示す信号）を外部装置７０に送信する。
外部装置７０は、屋外人数が異常であることを示す信号を受信すると、これに対応するエラーメッセージをメッセージ表示部７３に表示させる（ステップ１７）。
このとき、外部装置７０におけるデータ入力装置７１に、屋外人数の再計数を行う指示情報を入力することで、当該指示情報の信号が入力データ送信部７２から屋外撮像装置３０に送信され、上述したステップ１５の屋外人数解析処理から再度実行することができる。
【００８３】
また、データ解析部５５は、屋外人数が正常である場合、入場人数を撮像することを指示するため、屋外人数が正常であることを示す信号を屋内撮像装置４０に送信する。
屋内撮像装置４０は、屋外人数が正常であることを示す信号を受信すると、撮像装置４１により入場人数計数エリアに存在する代表者及びその同伴者からなるグループの人物を撮像し、撮像して得られたデータを撮像データ送信部４２によりデータ処理装置５０における撮像データ解析部５１に送信する。
【００８４】
次に、撮像データ解析部５１は、屋内撮像データを受信すると、これを解析して、入場人数計数エリアにいる人数を計数し（ステップ１９）、得られた入場人数をデータ解析部５５に出力する。なお、入場人数は、ゲートが一旦開いた後、ゲートが閉じるまでにゲートを通過した人数と考えることができる。
データ解析部５５は、入場人数を入力すると、この入場人数を個人データ記憶部５４に記憶されている入場予定人数と照合して、一致するか否かを判定する（ステップ２０，２１）。
【００８５】
そして、入場人数が入場予定人数と一致している場合（ステップ２１のＹｅｓ）、データ解析部５５は、処理を終了し、これによって入場管理システムにおける一連の動作は完了する。
このように、屋内撮像装置４０を用いて再度入場人数を計数し、これが入場予定人数と一致するか否かを判定する理由は、ゲートが開いた後、突然背後から不審者が現れて入場したような場合でも、不正侵入があったことを的確に把握することができるようにするためである。
【００８６】
一方、入場人数が入場予定人数と一致していない場合（ステップ２１のＮｏ）、データ解析部５５は、入場人数が異常であることを示す信号（入場人数が入場予定人数と一致していないことを示す信号）を不正入場者存在時作動装置６０における警報発動装置６１及び撮像装置６２に送信する。
そして、警報発動装置６１は、警報を発動し、撮像装置６２は、入場した人物の録画を開始する（ステップ２２）。録画したデータは、撮像データ記憶装置６３に記憶され、後で参照することができる。
【００８７】
なお、施設内において、不正入場者を録画するための撮像装置６２を設けていることを、ゲートの入り口などにわかりやすく表示しておくことが望ましい。このようにすれば、不正侵入者に対して心理的負荷をかけ、不正侵入を未然に防止することができる。
また、入場人数が入場予定人数と一致していない場合に、外部装置７０におけるデータ入力装置７１に、入場人数の再計数を行う指示情報を入力することで、当該指示情報の信号が入力データ送信部７２から屋内撮像装置４０に送信され、ステップ１９の処理から再度実行するようにすることができる。
【００８８】
以上説明したように、本実施形態の入場管理システムによれば、マンションなどの施設に、あるグループが入場する場合、グループの代表者の携帯端末を用いて、グループ全員の認証を行うことができ、グループ全員を同時に入場可能とすることができる。
また、グループの入場直後に再度その人数の確認処理を実行することで、ゲートが開いた際に便乗して入場した侵入者を検出することができる。
そして、侵入者がいた場合には、警報を発動するとともに、侵入者を撮像することも可能となる。
【００８９】
［第二実施形態］
次に、本発明の第二実施形態について、説明する。
本実施形態は、複数のグループが、施設等に入場する場合における入場管理システムに関するものであり、あるグループがゲートに到着した後、ゲートが開く前に他のグループが到着したときに、最適な認証処理を実行する点で第一実施形態と異なる。
本実施形態の入場管理システムの構成は、図２と同様のものとすることができるが、以下の通り、各構成の機能において第一実施形態と異なる点がある。
【００９０】
すなわち、本実施形態の入場管理システムのデータ処理装置５０におけるデータ解析部５５は、屋外人数の解析処理にあたり、先にゲートに到着し、代表者による携帯端末１０の認証を正常に終えた第一のグループについて個人データ記憶部５４に記憶されている入場予定人数と、第一のグループがゲートに到着した後、ゲートが開く前にゲートに到着し、代表者による携帯端末１０の認証を正常に終えた第二のグループについて個人データ記憶部５４に記憶されている入場予定人数とを合計する。
その合計値は、第一のグループの代表者の携帯端末１０のＩＣタグ１１に記憶されている同伴者人数と、第二のグループの代表者の携帯端末１０のＩＣタグ１１に記憶されている同伴者人数と、それぞれのグループの代表者の２名を合計した値となる。
【００９１】
そして、データ解析部５５は、撮像データ解析部５１から入力した屋外撮像データにもとづき計数した屋外人数と、入場予定人数の合計値とを照合して、これらが一致するか否かを判定する。
判定の結果、一致する場合、データ解析部５５は、屋外人数が正常であることを示す信号を、ゲート制御部５３に出力するとともに、屋内撮像装置４０に送信する。
一方、一致しない場合、データ解析部５５は、屋外人数が異常であることを示す信号を、外部装置７０に送信する。
【００９２】
さらに、本実施形態の入場管理システムのデータ処理装置５０におけるデータ解析部５５は、撮像データ解析部５１から入力した屋内撮像データにもとづき計数した入場人数と、入場予定人数の合計値とを照合して、これらが一致するか否かを判定する。
判定の結果、一致する場合、データ解析部５５は、処理を終了する。
一方、一致しない場合、データ解析部５５は、入場人数が異常であることを示す信号を、不正入場者存在時作動装置６０における警報発動装置６１及び撮像装置６２に送信する。
【００９３】
また、本実施形態の入場管理システムのデータ処理装置５０におけるゲート制御部５３は、各グループについての携帯端末１０の認証が成功したことを示す信号と、屋外人数が正常であることを示す信号にもとづいて、ゲートの開閉処理を行うことができる。
例えば、上記各信号に携帯端末番号を保有させ、屋外撮像装置３０から屋外人数が正常であることを示す信号と共に受信した携帯端末番号が、最後にゲート制御部５３から携帯端末１０の認証が成功したことを示す信号と共に入力した携帯端末番号と同一である場合にのみゲートを開放するようにすることができる。
【００９４】
次に、本実施形態の入場管理システムにおける処理手順について、図４を参照して説明する。
同図は、本実施形態の入場管理システムにおける処理手順を示すフローチャートである。
まず、本実施形態の前提として、第一のグループの代表者により、事前に、その携帯端末１０に同伴者人数の入力が行われ、第一のグループがゲートに到着したが、ゲートがまだ開いていない状態（図３のステップ１１〜ステップ１６のいずれかにある状態）であったとする。
【００９５】
一方、第二のグループの代表者も、事前に、その携帯端末１０に同伴者人数を入力して（ステップ３０）、携帯端末１０のＩＣタグ１１に同伴者人数を記憶させる。
そして、第二のグループが、ＩＣタグ１１に記憶された同伴者人数が自動的に削除されるまでの時間内であって、ゲートが開いて第一のグループが入場可能となる前に、ゲートに到着したとする（ステップ３１）。
【００９６】
次に、第二のグループの代表者の携帯端末１０のＩＣタグ１１に記憶されているデータがＩＣタグ装置２０におけるＩＣタグ読取装置２１によって読み取られ、図３に示す第一実施形態におけるステップ１２〜１４と同様の処理が実行される（ステップ３２〜ステップ３４）。なお、ステップ３４は、ステップ３３の判定結果がＮｏである場合にのみ実行される。
【００９７】
その結果、個人データ解析部５２により第二のグループについての認証が成功すると（ステップ３３のＹｅｓ）、すなわち、第二のグループの携帯端末１０の携帯端末番号に一致する携帯端末番号が個人データ記憶部５４に登録されている場合、個人データ解析部５２は、第二のグループの代表者の携帯端末１０のＩＣタグ１１から読み取られた同伴者人数に代表者の１名を合計した入場予定人数を、携帯端末番号に対応付けて個人データ記憶部５４に記憶させる。
また、第二のグループの携帯端末１０の認証に成功したことを示す信号を、屋外撮像装置３０に送信するとともに、ゲート制御部５３に出力する。このとき、この認証が成功したことを示す信号に、携帯端末１０の携帯端末番号を付加して、送信及び出力処理を実行する。
【００９８】
次に、第一のグループの認証が成功して、まだゲートが開いていない場合、ゲート制御部５３には、第一のグループの携帯端末１０の認証が成功したことを示す信号が入力され、かつ、屋外人数が正常であることを示す信号がまだ入力されていない状態である。
ステップ３３がＹｅｓの場合、ゲート制御部５３には、第二のグループの携帯端末１０の認証が成功したことを示す信号が入力される。
このとき、ゲート制御部５３は、第二のグループの携帯端末番号を伴う屋外人数が正常であることを示す信号が、データ解析部５５から送信されてくるまで、ゲートの開放を待つ状態となる。
【００９９】
屋外撮像装置３０は、第二のグループの携帯端末１０の認証が成功したことを示す信号を受信すると、屋外撮像装置３０における撮像装置３１は、屋外人数計数エリアに存在する人物を撮像し、撮像データ送信部３２は、撮像して得られたデータをデータ処理装置５０に送信する。
このとき、屋外撮像装置３０は、第一のグループにおける携帯端末１０の認証が成功したことを示す信号を受信して、既に屋外人数計数エリアに存在する人物を撮像し、撮像したデータをデータ処理装置５０に送信している場合でも、再度同様の処理を実行する。
【０１００】
これによって、第一のグループ及び第二のグループにおける人物が撮像され、その撮像データがデータ処理装置５０における撮像データ解析部５１に送信されることとなる。
また、屋外撮像装置３０は、第二のグループの携帯端末１０の認証が成功したことを示す信号と共に受信した携帯端末番号を撮像データに付加して、データ処理装置５０に送信する。
【０１０１】
撮像データ解析部５１は、屋外撮像装置３０から受信した撮像データにもとづいて、屋外人数計数エリアにいる人数を計数し（ステップ３５）、その計数結果の屋外人数をデータ解析部５５に送信する。このとき、撮像データ解析部５１は、屋外人数に、屋外撮像装置３０から受信した携帯端末番号を付加して、データ解析部５５に出力する。
【０１０２】
次に、データ解析部５５は、撮像データ解析部５１から屋外人数を入力すると、これを個人データ記憶部５４に記憶された、第一のグループ及び第二のグループの入場予定人数を合算して得られた入場予定人数と照合し、これらが一致するか否かを判定する（ステップ３６）。
そして、一致した場合（ステップ３６のＹｅｓ）、データ解析部５５は、ゲート制御部５３に屋外人数が正常であることを示す信号を送信する。この信号には、第二のグループの携帯端末１０の携帯端末番号が付加されている。
【０１０３】
一方、一致しない場合（ステップ３６のＮｏ）、データ解析部５５は、外部装置７０に屋外人数が異常であることを示す信号を送信し、外部装置７０は、屋外人数が異常であることを示す信号を受信すると、これに対応するエラーメッセージをメッセージ表示部７３に表示させる（ステップ３７）。
このとき、外部装置７０におけるデータ入力装置７１に、屋外人数の再計数を行う指示情報を入力することで、当該指示情報の信号が入力データ送信部７２から屋外撮像装置３０に送信され、上述したステップ３５の屋外人数解析処理から再度実行することができる。
【０１０４】
ゲート制御部５３は、データ解析部５５から屋外人数が正常であることを示す信号を受信すると、これに付加されている携帯端末番号が、最後に受信した認証が成功したことを示す信号における携帯端末番号と一致するかどうかを判定し、一致している場合にゲートを開放する（ステップ３８）。
本実施形態の場合、開放を指示する信号における携帯端末番号も、認証が成功したことを示す信号における携帯端末番号も共に、第二のグループにおける携帯端末１０の携帯端末番号であるため、一致することになる。
【０１０５】
また、データ解析部５５は、屋外人数が正常である場合、入場人数を撮像することを指示するため、屋外人数が正常であることを示す信号を屋内撮像装置４０に送信する。
屋内撮像装置４０は、入場人数を撮像することを指示する信号を受信すると、撮像装置４１により入場人数計数エリアに存在する人物を撮像し、撮像して得られたデータを撮像データ送信部４２によりデータ処理装置５０における撮像データ解析部５１に送信する。
【０１０６】
次に、撮像データ解析部５１は、撮像データを受信すると、これを解析して、入場人数計数エリアにいる人数を計数し（ステップ３９）、得られた入場人数をデータ解析部５５に出力する。
データ解析部５５は、入場人数を入力すると、この入場人数を個人データ記憶部５４に記憶されている、第一のグループ及び第二のグループの入場予定人数を合算して得られた入場予定人数と照合して、一致するか否かを判定する（ステップ４０，４１）。
以降の動作（ステップ４１のＹｅｓ，Ｎｏ、ステップ４２）については、第一実施形態における動作（ステップ２１のＹｅｓ，Ｎｏ、ステップ２２）と同様である。
【０１０７】
以上説明したように、本実施形態の入場管理システムによれば、あるグループが施設のゲートに到着し、ゲートが開く前に、他のグループがゲートに到着した場合、これらのグループの人数の合計と入場予定人数の合計とを比較してゲートの開放処理を行うことができるため、複数のグループが施設に同時に入場してもセキュリティを確保することが可能となる。
【０１０８】
［第三実施形態］
次に、本発明の第三実施形態の入場管理システムの構成について、図５を参照して説明する。同図は、本実施形態の入場管理システムの構成を示すブロック図である。
本実施形態は、複数のグループが、施設等に入場する場合における入場管理システムに関するものであり、あるグループがゲートに到着した後であって、ゲートが開いた後に他のグループが到着したときに、最適な認証処理を実行できる点で第一実施形態と異なる。
【０１０９】
すなわち、本実施形態では、第二のグループが入場口に到着したときには、既にゲートが開いているため、第二グループの屋外人数が入場予定人数と一致しているか否かの判定は行わない。
その具体的な実現方法は、特に限定されるものではないが、例えば以下のようにすることができる。
【０１１０】
本実施形態のゲート制御部５３は、ゲートを開放すると、ゲートを開放したことを示す信号を個人データ解析部５２に出力し、ゲートを閉鎖すると、ゲートを閉鎖したことを示す信号を個人データ解析部５２に出力する。
これによって、本実施形態の個人データ解析部５２では、ゲートの開閉状況を把握することができる。このとき、個人データ解析部５２は、ゲートの開閉状況を例えばフラグにより管理することができる。
【０１１１】
そして、個人データ解析部５２は、ゲートが開放されているときに、第二のグループにおける携帯端末１０の認証が成功しても、すなわちＩＣタグ装置２０から受信した携帯端末番号に一致する携帯端末番号が個人データ記憶部５４に登録されていると判定しても、認証が成功したことを示す信号を屋外撮像装置３０に送信しない。
これによって、第二のグループにおける携帯端末１０の認証が成功しても、屋外人数の解析処理は行われないことになる。
なお、個人データ解析部５２は、ゲートが閉鎖されているときに、第二のグループにおける携帯端末１０の認証が成功すると、認証が成功したことを示す信号を屋外撮像装置３０に送信するが、本実施形態は、この場合に関するものではない。
【０１１２】
また、個人データ解析部５２は、ゲートが開放されているときに、第二のグループにおける携帯端末１０の認証に失敗すると、すなわちＩＣタグ装置２０から受信した携帯端末番号に一致する携帯端末番号が個人データ記憶部５４に登録されていないと判定すると、携帯端末１０の認証に失敗したことを示す信号を、不正入場者存在時作動装置６０における警報発動装置６１及び撮像装置６２に送信する。
なお、個人データ解析部５２は、ゲートが閉鎖されているときに、第二のグループにおける携帯端末１０の認証が失敗すると、認証に失敗したことを示す信号を、外部装置７０に送信するが、本実施形態は、この場合に関するものではない。
【０１１３】
また、本実施形態のデータ解析部５５は、屋外人数の解析処理にあたり、第二実施形態における場合と同様に、個人データ記憶部５４に記憶されている第一のグループの入場予定人数と、第二のグループの入場予定人数とを合算して、入場予定人数の合計値を算出する。
そして、データ解析部５５は、撮像データ解析部５１から入力した屋内撮像データにもとづき計数した入場人数と、入場予定人数の合計値とを照合して、これらが一致するか否かを判定する。
【０１１４】
判定の結果、一致する場合、データ解析部５５は、処理を終了する。
一方、一致しない場合、データ解析部５５は、入場人数が異常であることを示す信号を、不正入場者存在時作動装置６０における警報発動装置６１及び撮像装置６２に送信する。
【０１１５】
次に、本実施形態の入場管理システムにおける処理手順について、図６を参照して説明する。
同図は、本実施形態の入場管理システムにおける処理手順を示すフローチャートである。
まず、本実施形態の前提として、第一のグループの代表者により、事前に、その携帯端末１０に同伴者人数の入力が行われ、第一のグループについてのＩＣタグ情報の読み取り、解析、認証、及び屋外人数が入場予定人数と一致するか否かの判定が行われて、ゲートが既に開いている状態（図３のステップ１８の状態）であったとする。
【０１１６】
一方、第二のグループの代表者も、事前に、その携帯端末１０に同伴者人数を入力して（ステップ５０）、携帯端末１０のＩＣタグ１１に同伴者人数を記憶させる。
そして、第二のグループが、ＩＣタグ１１に記憶された同伴者人数が自動的に削除されるまでの時間内であって、ゲートが開き、第一のグループが入場している最中に、ゲートに到着したとする（ステップ５１）。
【０１１７】
次に、第二のグループの代表者の携帯端末１０のＩＣタグ１１に記憶されているデータがＩＣタグ装置２０におけるＩＣタグ読取装置２１によって読み取られ、図３に示す第一実施形態におけるステップ１２，１３と同様のＩＣタグ情報の解析処理及び登録データと一致するか否かの判定処理が実行される（ステップ５２，５３）。
本実施形態の個人データ解析部５２は、第二のグループにおける携帯端末１０の認証に成功した場合、すなわちＩＣタグ装置２０から受信した携帯端末番号に一致する携帯端末番号が個人データ記憶部５４に登録されている場合（ステップ５３のＹｅｓ）、携帯端末番号と共に受信した同伴者人数に代表者の１名を合計した第二のグループの入場予定人数を、携帯端末番号に対応付けて個人データ記憶部５４に記憶させる。
【０１１８】
このとき、個人データ解析部５２は、既にゲート制御部５３からゲートを開放したことを示す信号を入力して、ゲートが開放されていることを認識しているため、第二のグループにおける携帯端末１０の認証が成功したことを示す信号を屋外撮像装置３０に送信しない。
このため、第二のグループにおける携帯端末１０の認証が成功しても、屋外人数の解析処理は実行されない。
そして、第二のグループの人は、第一のグループの人と共に、ゲートから施設に入場することになる（ステップ５５）。
【０１１９】
一方、個人データ解析部５２は、第二のグループにおける携帯端末１０の認証に失敗した場合、すなわちＩＣタグ装置２０から受信した携帯端末番号に一致する携帯端末番号が個人データ記憶部５４に登録されていない場合（ステップ５３のＮｏ）、携帯端末１０の認証に失敗したことを示す信号を不正入場者存在時作動装置６０における警報発動装置６１及び撮像装置６２に送信する。
そして、警報発動装置６１により警報が発動されるとともに、撮像装置６２により施設内の撮影が開始される（ステップ５４）。これによって、不正侵入者を録画することが可能となる。
【０１２０】
また、データ解析部５５は、第一のグループについて屋外人数が正常であることを示す信号をゲート制御部５３に送信した際に、入場人数を撮像することを指示するため、屋外人数が正常であることを示す信号を屋内撮像装置４０にも送信している。
このとき、屋内撮像装置４０は、第一のグループ及び第二のグループの人を撮影することになり、撮像データを撮像データ解析部５１に送信する。
【０１２１】
そして、撮像データ解析部５１で入場人数が計数され（ステップ５６）、これがデータ解析部５５に出力される。
データ解析部５５は、入場人数と、第一のグループ及び第二のグループの入場予定人数を合算して得られた入場予定人数とを比較し、一致するか否かを判定する（ステップ５７，５８）。
【０１２２】
そして、入場人数が入場予定人数と一致している場合、データ解析部５５は、処理を終了する（ステップ５８のＹｅｓ）。
一方、入場人数が入場予定人数と一致していない場合（ステップ５８のＮｏ）、データ解析部５５は、入場人数が異常であることを示す信号を不正入場者存在時作動装置６０における警報発動装置６１及び撮像装置６２に送信する。
そして、警報発動装置６１は、警報を発動し、撮像装置６２は、入場した人物の録画を開始する（ステップ５９）。
【０１２３】
以上説明したように、本実施形態の入場管理システムによれば、あるグループが施設のゲートに到着し、ゲートが開いた後に、他のグループがゲートに到着した場合、他のグループの認証が失敗すれば、警報発動や撮像処理を行うことができる。
また、入場した人数の合計と入場予定人数の合計とを比較して、一致していない場合、警報発動や撮像処理を行うことができる。
このため、ゲートが開いてから他のグループがゲートに到着した場合でも、セキュリティを確保することが可能となる。
【０１２４】
［第四実施形態］
次に、本発明の第四実施形態について、説明する。
本実施形態は、グループの代表者が施設等の入場口に来られない場合における入場管理システムに関するものであり、グループの代表者の携帯端末１０を入場口で用いることなく、グループの認証を行うことが可能な点で第一実施形態と異なる。
本実施形態の入場管理システムの構成は、図２と同様のものとすることができるが、以下の通り、各構成の機能において第一実施形態と異なる点がある。
【０１２５】
すなわち、本実施形態の個人データ解析部５２は、外部装置７０のデータ入力装置７１により入力された携帯端末番号及び暗証番号を、入力データ送信部７２から受信すると、これらを個人データ記憶部５４に記憶されている携帯端末番号及び暗証番号と照合し、一致するか否かを判定する。
【０１２６】
判定の結果、これらが一致する場合、個人データ解析部５２は、認証が成功したことを示す信号を屋外撮像装置３０に送信する。
また、一致しない場合、個人データ記憶部５４は、認証に失敗したことを示す信号を外部装置７０に送信し、外部装置７０は、認証に失敗したことを示す信号を受信すると、これに対応するエラーメッセージをメッセージ表示部７３に表示させる。
【０１２７】
次に、本実施形態の入場管理システムにおける処理手順について、図７を参照して説明する。同図は、本実施形態の入場管理システムにおける処理手順を示すフローチャートである。
まず、グループの代表者以外の任意の者は、代表者と連絡を取り合って、代表者に入場予定人数を連絡する（ステップ７０）。
【０１２８】
代表者は、携帯端末１０によりデータ処理装置５０にアクセスして、入場予定人数と暗証番号を送信し、データ処理装置５０における個人データ記憶部５４は
これらを記憶する（ステップ７１）。このとき、入場予定人数と暗証番号は、携帯端末１０の携帯端末番号に対応付けられて個人データ記憶部５４に記憶される。
そして、代表者は、暗証番号と携帯端末１０の携帯端末番号をグループの代表者以外の任意の者に連絡する。
なお、この暗証番号は、グループが施設に入場する際の認証のために使用されるものであり、代表者の携帯端末１０から入場予定人数を入力する際の認証のために用いるものとは異なるものである。
【０１２９】
次に、代表者を除いたグループの残りの人がゲートに到着し（ステップ７２）、グループの代表者以外の任意の者は、外部装置７０におけるデータ入力装置７１に、暗証番号と代表者の携帯端末１０の携帯端末番号を入力する（ステップ７３）。
外部装置７０における入力データ送信部７２は、入力された暗証番号と携帯端末番号を個人データ解析部５２に送信する。
【０１３０】
そして、個人データ解析部５２は、受信した暗証番号及び携帯端末番号が、ステップ７１において、個人データ記憶部５４に記憶された暗証番号及び携帯端末番号と一致するか否かを確認する（ステップ７４，７５）。
これらがいずれも一致した場合（ステップ７５のＹｅｓ）、個人データ記憶部５４は、認証が成功したことを示す信号を、屋外撮像装置３０に送信する。
【０１３１】
一方、個人データ解析部５２は、受信した暗証番号及び携帯端末番号が、個人データ記憶部５４に記憶されていな場合、認証に失敗したことを示す信号を外部装置７０に送信する。
外部装置７０は、認証に失敗したことを示す信号を受信すると、これに対応するエラーメッセージをメッセージ表示部７３に表示させる（ステップ７６）。
本実施形態の入場管理システムにおける以降の動作（ステップ７７〜ステップ８４）については、第一実施形態における動作（ステップ１５〜ステップ２２）と同様である。
【０１３２】
以上説明したように、本実施形態の入場管理システムによれば、認証に用いる携帯端末１０を所持する代表者が、入場口に来られない場合でも、代表者がグループの任意の者から連絡を受けて、遠隔地において、携帯端末１０から入場予定人数及び暗証番号を入力し、データ処理装置５０に送信して、これらを携帯端末番号と共に個人データ記憶部５４に記憶させておくことができる。
【０１３３】
そして、代表者を除くグループにおける任意の者が、ゲート近辺に置かれた外部装置７０から携帯端末番号及び暗証番号を入力すると、これらがデータ処理装置５０に送信され、その組み合わせが個人データ記憶部５４に記憶されているか否かを判定することで、認証を受けることができる。
このため、本実施形態の入場管理システムによれば、代表者が施設に来られなくなった場合でも、グループの認証を行うことができる。
また、代表者が事前に代表者を含む入場予定人数及び暗証番号を携帯端末１０からデータ処理装置５０に送信して、携帯端末番号と共に個人データ記憶部５４に記憶させておけば、代表者が携帯端末１０を所持し忘れた場合など、入場口に携帯端末１０を持って行かない場合でも、グループの認証を行うことが可能となる。
【０１３４】
［第五実施形態］
次に、本発明の第五実施形態について、説明する。
本実施形態は、あるグループの代表者が、ＩＣタグが搭載されていない携帯端末を所持している場合における入場管理システムに関するものであり、ＩＣタグが搭載されたＩＤカードなどのカードを用いて、グループの認証を行うことが可能な点で第一実施形態と異なる。
本実施形態の入場管理システムの構成は、図２と同様のものとすることができるが、携帯端末１０ではなく、ＩＣタグが搭載されていない携帯端末が用いられる。また、データ処理装置における各構成等の機能において、以下のように第一実施形態と異なる点がある。
【０１３５】
すなわち、本実施形態の個人データ解析部５２は、ＩＣタグ装置２０から個人識別情報を受信すると、これに一致する個人識別情報が個人データ記憶部５４に登録されているかどうかを判定する。
そして、受信した個人識別情報に一致する個人識別情報が個人データ記憶部５４に登録されている場合、個人データ解析部５２は、カードの認証に成功したことを示す信号を個人識別情報と共に、屋外撮像装置３０に送信し、ゲート制御部５３に出力する。そして、以降の屋外撮像装置３０、屋内撮像装置４０、及びデータ処理装置５０間のデータの送受信にあたっては、この個人識別情報が付加される。
一方、受信した個人識別情報に一致する個人識別情報が個人データ記憶部５４に登録されていない場合、個人データ解析部５２は、カードの認証に失敗したことを示す信号を外部装置７０に送信する。
【０１３６】
次に、本実施形態の入場管理システムにおける処理手順について、図８を参照して説明する。同図は、本実施形態の入場管理システムにおける処理手順を示すフローチャートである。
まず、グループの代表者は、ＩＣタグが搭載されていない携帯端末によりデータ処理装置５０にアクセスして（ステップ９０）、同伴者人数と代表者の個人識別情報を送信し、データ処理装置５０における個人データ記憶部５４は、これらを記憶する（ステップ９１）。
次に、代表者とその同伴者からなるグループが、ゲートに到着すると（ステップ９２）、代表者は、カードのＩＣタグに記憶されているデータを、ＩＣタグ装置２０におけるＩＣタグ読取装置２１により読み取らせる。このとき、読み取らせるデータには、代表者の個人識別情報が含まれる。
【０１３７】
読み取られた個人識別情報は、ＩＣタグ装置２０におけるＩＣタグ情報送信部２２によりデータ処理装置５０における個人データ解析部５２に送信される。
そして、個人データ解析部５２は、受信した個人識別情報に一致する個人識別情報が個人データ記憶部５４に登録されているかどうかを判定する（ステップ９３，９４）。
【０１３８】
受信した個人識別情報に一致する個人識別情報が個人データ記憶部５４に登録されている場合（ステップ９４のＹｅｓ）、個人データ解析部５２は、カードの認証に成功したことを示す信号を個人識別情報と共に、屋外撮像装置３０に送信する。
一方、受信した個人識別情報に一致する個人識別情報が個人データ記憶部５４に登録されていない場合（ステップ９４のＮｏ）、個人データ解析部５２は、カードの認証に失敗したことを示す信号を外部装置７０に送信する。
【０１３９】
外部装置７０は、認証に失敗したことを示す信号を受信すると、これに対応するエラーメッセージをメッセージ表示部７３に表示させる（ステップ９５）。
このとき、代表者により、再度ＩＣタグ読取装置２１にカードのＩＣタグに記憶された個人識別情報を読み取らせて、ステップ９３のＩＣタグ情報の解析処理から再実行させることができる。
【０１４０】
次に、屋外撮像装置３０は、個人データ解析部５２からカードの認証が成功したことを示す信号を入力すると、撮像装置３１により屋外人数計数エリアに存在する代表者及びその同伴者からなるグループの人物を撮像し、撮像して得られたデータを個人識別情報と共に、撮像データ送信部３２によりデータ処理装置５０における撮像データ解析部５１に送信する。
【０１４１】
次に、撮像データ解析部５１は、撮像データを受信すると、これを解析して、屋外人数計数エリアにいる人数を計数し（ステップ９６）、得られた屋外人数を個人識別情報と共にデータ解析部５５に出力する。
データ解析部５５は、屋外人数を入力すると、個人データ記憶部５４から個人識別情報に対応する入場予定人数を取得し、屋外人数と入場予定人数とを照合して、一致するか否かを判定する（ステップ９７）。
本実施形態の入場管理システムにおける以降の動作（ステップ９８〜ステップ１０３）については、第一実施形態における動作（ステップ１７〜ステップ２２）と同様である。だたし、ステップ１００においても、入場予定人数は個人識別情報に対応付けて個人データ記憶部５４に記憶されているものが用いられる。
【０１４２】
以上説明したように、本実施形態の入場管理システムによれば、グループの代表者が、ＩＣタグを搭載していない携帯端末しかもっていない場合でも、個人識別情報が記憶されたＩＣタグを備えたＩＤカードなどを保有している場合には、予め個人識別情報及び入場予定人数を携帯端末によりデータ処理装置５０に登録しておくことで、ＩＣタグを備えたＩＤカードを用いてグループの認証を行い、その入場を可能とすることができる。
【０１４３】
［第六実施形態］
次に、本発明の第六実施形態の入場管理システムの構成について、図９を参照して説明する。同図は、本実施形態の入場管理システムの構成を示すブロック図である。
上記各実施形態は、マンションなどの施設に入場する場合を想定しているが、同様の構成を、施設のみならず電車などを含む各種構造物に入場する場合に適用することも可能である。
本実施形態における入場管理システムは、このような構造物への入場に際し、その入場料金を代表者の携帯端末１０におけるＩＣタグに記憶された電子マネーなどから引き落とすことができる点で第一実施形態と異なる。
【０１４４】
図９に示すように、本実施形態の入場管理システムにおけるＩＣタグ装置２０は、ＩＣタグ読み書き装置（リーダライタ）２３と、ＩＣタグ情報送受信部２４を備えている。
また、本実施形態の入場管理システムにおけるデータ処理装置５０は、第一実施形態における構成に加えて、料金精算部５８を備えている。
料金精算部５８は、データ解析部５５から屋外人数が正常であることを示す信号と屋外人数を入力すると、屋外人数に一人当たりの入場料金を乗算して、合計入場料金を算出し、この合計入場料金と料金精算を行う指示を示す信号をＩＣタグ装置２０に送信する。入場管理システムのその他の構成については、第一実施形態におけるものと同様である。
【０１４５】
次に、本実施形態の入場管理システムにおける処理手順について、図１０を参照して説明する。同図は、本実施形態の入場管理システムにおける処理手順を示すフローチャートである。
まず、本実施形態におけるステップ１１０〜ステップ１１７の動作は、第一実施形態における動作（ステップ１０〜ステップ１７）と同様である。
【０１４６】
次に、データ処理装置５０におけるデータ解析部５５により、屋外人数が入場人数と一致すると判定された場合（ステップ１１６のＹｅｓ）、データ解析部５５は、屋外人数が正常であることを示す信号と屋外人数（入場予定人数）をゲート制御部５３に出力するとともに、料金精算部５８に出力する。
料金精算部５８は、屋外人数が正常であることを示す信号を入力すると、屋外人数に一人当たりの入場料金を乗算して、合計入場料金を算出し、この合計入場料金と料金精算を行う指示を示す信号をＩＣタグ装置２０に送信する。
【０１４７】
そして、ＩＣタグ装置２０におけるＩＣタグ情報送受信部２４は、合計入場料金と料金精算を行う指示を示す信号を受信すると、これらをＩＣタグ読み書き装置２３に出力し、ＩＣタグ読み書き装置２３は、合計入場料金をＩＣタグに記憶されている電子マネーから減算する（ステップ１１８）。
ＩＣタグ読み書き装置２３は、ＩＣタグにおける電子マネーに対して、合計入場料金を減算する処理に成功すると、これを示す情報をＩＣタグ情報送受信部２４を介して、図示しない電子マネー管理サーバに送信する。
そして、当該構造物の提供側への合計入場料金の入金処理が行われる。このような合計入場料金についての精算処理自体は、従来公知の方法を用いて行うことができる。
【０１４８】
これによって、グループ全体の入場料金を代表者の携帯端末１０におけるＩＣタグ１１に記憶された電子マネーから引き落とすことが可能となる。
以降の動作（ステップ１１９〜ステップ１２３）については、第一実施形態における動作（ステップ１８〜ステップ２２）と同様である。
【０１４９】
なお、予め個人データ記憶部５４に代表者のクレジットカード情報を登録しておき、ステップ１１８を行うことなくステップ１２２の登録データの判定においてＹｅｓであった場合や、ステップ１１８において、当該クレジットカードによりグループ全体の入場料金を精算するようにすることも可能である。
また、上記ステップ１１３において、携帯端末１０の認証に成功した場合に、グループ全体の入場料金を代表者の携帯端末１０におけるＩＣタグ１１に記憶された電子マネーから引き落としたり、あるいは、予め個人データ記憶部５４に登録されている代表者のクレジットカード情報にもとづいてグループ全体の入場料金を精算することも可能である。
【０１５０】
以上説明したように、本実施形態の入場管理システムによれば、グループが施設などに入場するにあたり、代表者の携帯端末１０を用いてグループの認証を行うと共に、合わせてグループ全体の入場料金の精算を行うことが可能となる。
【０１５１】
本発明は、以上の実施形態に限定されるものではなく、本発明の範囲内において、種々の変更実施が可能であることは言うまでもない。
例えば、上記各実施形態における入場管理システムを組み合わせた構成とし、複数グループが同時に入場する場合に、各グループ毎に入場料金を精算することができるようにすることなどが可能である。
また、携帯端末１０に搭載するＩＣタグを、その他の非接触型無線通信機能を備えた装置に置き換えて、本発明の入場管理システムを構成することも可能である。
【０１５２】
さらに、上記各実施形態では、代表者が携帯端末１０に予め入場予定人数を登録するにあたって、暗証番号による認証を行っているが、認証方法としてはこれに限定されるものではなく、例えば顔画像、指紋、虹彩、声紋、静脈の紋様、人工的に人体に埋め込んだインプラント等の生体情報による人物認証など各種方法を適用することが可能である。
【０１５３】
また、携帯端末１０に入場予定人数等を入力する場合のみならず、例えばゲートの入り口において、上記のような生体情報により個人認証を行う装置を設置して、二重に個人認証を行うことで、さらなるセキュリティレベルの向上を図ることが可能となる。
また、屋外撮像装置３０や屋内撮像装置４０は、人数を計数するためのデータを確保できるものであれば、その他の機器に置き換えることが可能である。
【０１５４】
また、入場管理システムを、屋外撮像装置３０を省略した構成とすることもできる。この場合、入場予定人数と屋外人数との照合を行うことができないため、セキュリティレベルは低下するが、屋外撮像装置３０を省略することで、その設置費用及び管理費用の発生を抑えることが可能となる。
さらに、代表者が携帯端末１０に入力する人数を、同伴者の人数ではなく、代表者も含めたグループ全員の人数とするように、入場予定人数の計算方法を変更することも可能である。
【０１５５】
また、入場管理システムにおける不正入場者存在時作動装置６０に備えられる撮像装置６２、及び撮像データ記憶部６３は、これらと同等の機能を他の装置に備えることで、省略することができる。例えば、撮像装置６２の機能を屋内撮像装置４０に保有させ、撮像データ記憶部６３の機能をデータ処理装置５０に保有させる構成とすることも可能である。
さらに、上記各実施形態では、入場人数を計数する手段として、屋内撮像装置４０における撮像装置４１を用いているが、例えばゲートを回転ドアとして、ドアの回転数から入場人数を計数するなど、他の手段を用いて同様の機能を実現することも可能である。
【０１５６】
また、第二実施形態及び第三実施形態では、２つのグループが入場する場合について説明したが、グループが３つ以上である場合にも、適用することが可能である。
さらに、上記各実施形態においては、不正入場者存在時作動装置６０が作動した場合に、再度入場人数を計数するための指示を入力する装置として、外部装置７０を用いているが、施設の内部に外部装置７０と同様の機能を備えた装置を設けて、ゲートの内部から再計数の指示を入力できるようにするなど適宜変更することが可能である。
【産業上の利用可能性】
【０１５７】
本発明は、マンションや電車などのような、複数の人が同時に入場することのある構造物におけるセキュリティシステムなどとして好適に用いることが可能である。
【図面の簡単な説明】
【０１５８】
【図１】本発明の実施形態の入場管理システムの概観を示す図である。
【図２】本発明の第一実施形態の入場管理システムの構成を示すブロック図である。
【図３】本発明の第一実施形態の入場管理システムにおける処理手順を示すフローチャートである。
【図４】本発明の第二実施形態の入場管理システムにおける処理手順を示すフローチャートである。
【図５】本発明の第三実施形態の入場管理システムの構成を示すブロック図である。
【図６】本発明の第三実施形態の入場管理システムにおける処理手順を示すフローチャートである。
【図７】本発明の第四実施形態の入場管理システムにおける処理手順を示すフローチャートである。
【図８】本発明の第五実施形態の入場管理システムにおける処理手順を示すフローチャートである。
【図９】本発明の第六実施形態の入場管理システムの構成を示すブロック図である。
【図１０】本発明の第六実施形態の入場管理システムにおける処理手順を示すフローチャートである。
【符号の説明】
【０１５９】
１０  携帯端末
１１  ＩＣタグ
１２  データ記憶部
２０  ＩＣタグ装置
２１  ＩＣタグ読取装置
２２  ＩＣタグ情報送信部
２３  ＩＣタグ読み書き装置
２４  ＩＣタグ情報送受信部
３０  屋外撮像装置
３１  撮像装置
３２  撮像データ送信部
４０  屋内撮像装置
４１  撮像装置
４２  撮像データ送信部
５０  データ処理装置
５１  撮像データ解析部
５２  個人データ解析部
５３  ゲート制御部
５４  個人データ記憶部
５５  データ解析部
５６，５７  通信インタフェース
５８  料金精算部
６０  不正入場者存在時作動装置
６１  警報発動装置
６２  撮像装置
６３  撮像データ記憶部
７０  外部装置
７１  データ入力装置
７２  入力データ送信部
７３  メッセージ表示部
【図１】
2007257497.tif 000003
【図２】
2007257497.tif 000004
【図３】
2007257497.tif 000005
【図４】
2007257497.tif 000006
【図５】
2007257497.tif 000007
【図６】
2007257497.tif 000008
【図７】
2007257497.tif 000009
【図８】
2007257497.tif 000010
【図９】
2007257497.tif 000011
【図１０】
2007257497.tif 000012